(57)【要約】  本発明は、ＵＥポリシー更新方法及び装置、コンピュータ記憶媒体を開示する。前記方法は、端末がネットワーク装置からの第１ＵＥポリシー及び／又は第１指示情報を受信することと、前記端末が前記第１ＵＥポリシー及び／又は前記第１指示情報に基づいて、アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行することとを含む。
2021528874.tif 000002
【特許請求の範囲】
【請求項１】
ＵＥポリシー更新方法であって、
端末が、ネットワーク装置からの第１ＵＥポリシー及び／又は第１指示情報を受信することと、
前記端末が、前記第１ＵＥポリシー及び／又は前記第１指示情報に基づいて、アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行することとを含む、ＵＥポリシー更新方法。
【請求項２】
前記端末のＵＥポリシーの更新が発生した場合、前記端末は、前記ネットワーク装置からの第１ＵＥポリシー及び／又は第１指示情報を受信し、ここで、前記第１ＵＥポリシーは、更新しようとするＵＥポリシーであることを特徴とする
請求項１に記載の方法。
【請求項３】
前記端末にハンドオーバーが発生した場合、前記端末のＵＥポリシーの更新が発生したことであることを特徴とする
請求項２に記載の方法。
【請求項４】
前記端末がデータトラヒックを実行している場合、前記端末は、前記第１ＵＥポリシー及び／又は前記第１指示情報に基づいて、アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行することを特徴とする
請求項１から３のいずれか一項に記載の方法。
【請求項５】
前記第１指示情報は、第１指示パラメータを含み、前記第１指示パラメータは、アイドル状態に入った後に、前記第１ＵＥポリシーに基づいて、前記アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行するように、前記端末に指示するためのものであることを特徴とする
請求項１から４のいずれか一項に記載の方法。
【請求項６】
前記第１指示情報は、第２指示パラメータを含み、前記第２指示パラメータは、前記第１指示情報を受信した後に、直ちに前記第１ＵＥポリシーに基づいて、前記アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行するように、前記端末に指示するためのものであることを特徴とする
請求項１から５のいずれか一項に記載の方法。
【請求項７】
前記第１指示情報は、第３指示パラメータを含み、前記第３指示パラメータは、前記第１指示情報を受信した後に、第１時間長内で前記第１ＵＥポリシーに基づいて、前記アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行するように、前記端末に指示するためのものであることを特徴とする
請求項１から６のいずれか一項に記載の方法。
【請求項８】
第１時間長内で前記第１ＵＥポリシーに基づいて前記アプリケーションデータストリームとＰＤＵセッションとの関連の更新操作及び／又はＷＬＡＮアクセス選択の更新操作を実行することは、
前記端末が前記第１時間長内でアイドル状態に入るとした場合、前記第１ＵＥポリシーに基づいて、前記アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行することと、
前記端末が前記第１時間長内で接続状態にある場合、前記第１ＵＥポリシーに基づいて、前記アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行することとを含むことを特徴とする
請求項７に記載の方法。
【請求項９】
前記方法は、
前記端末が前記第１時間長内で接続状態にあり、且つデータの伝送を実行している場合、前記端末が、前記データの伝送を中止し、前記接続状態から前記アイドル状態に戻ることを更に含むことを特徴とする
請求項８に記載の方法。
【請求項１０】
前記方法は、
前記端末が前記第１時間長内で接続状態にある場合、前記端末が、前記ネットワーク装置の制御で、ＲＲＣ接続又はＮＡＳ接続をリリースして前記接続状態から前記アイドル状態に戻ることを更に含むことを特徴とする
請求項８に記載の方法。
【請求項１１】
前記アプリケーションデータストリームとＰＤＵセッションとの関連の更新操作を実行することは、
元のアプリケーションデータストリームを、更新ルールに合致するＰＤＵセッションにバインディングし、前記更新ルールが前記第１ＵＥポリシーにおけるルールであることを含むことを特徴とする
請求項７から１０のいずれか一項に記載の方法。
【請求項１２】
前記第１指示情報は、第４指示パラメータを含み、前記第４指示パラメータは、前記第１ＵＥポリシーに基づいて、ＵＲＳＰルール（ＵＲＳＰ  Ｒｕｌｅ）におけるトラヒック記述子（Ｔｒａｆｆｉｃ  Ｄｅｓｃｒｉｐｔｏｒ）により、現在用いられているＰＤＵセッションが非アクティブ状態にあると判定した場合、前記Ｔｒａｆｆｉｃ  Ｄｅｓｃｒｉｐｔｏｒに対応するアプリケーションデータストリームとＰＤＵセッションとの関連の更新操作を実行するように、前記端末に指示するためのものであり、前記ＰＤＵセッションが非アクティブ状態にあることは、前記ＰＤＵセッションが何らのデータも伝送していないこと及び／又はエアインタフェースリソースがリリースされていることであることを特徴とする
請求項１から１１のいずれか一項に記載の方法。
【請求項１３】
前記Ｔｒａｆｆｉｃ  Ｄｅｓｃｒｉｐｔｏｒに対応するアプリケーションデータストリームとＰＤＵセッションとの関連の更新操作を実行することは、新しいＰＤＵセッションを確立するか又は既存のＰＤＵセッションに対して変更を開始し、前記Ｔｒａｆｆｉｃ  Ｄｅｓｃｒｉｐｔｏｒに対応するアプリケーションデータストリームを新しいＰＤＵセッション又は変更後のＰＤＵセッションにバインディングすることを含むことを特徴とする
請求項１２に記載の方法。
【請求項１４】
前記第１指示情報は、第５指示パラメータを含み、前記第５指示パラメータは、前記第１ＵＥポリシーに基づいて、ＵＲＳＰ  Ｒｕｌｅにおける第１アプリケーションデータストリームの状態を判定し、前記第１アプリケーションデータストリームの状態に基づいて、前記第１アプリケーションデータストリームとＰＤＵセッションとの関連の更新操作及び／又はネットワークスライス情報の更新操作及び／又はＰＤＵセッションの更新操作を実行するように、前記端末に指示するためのものであることを特徴とする
請求項１から１３のいずれか一項に記載の方法。
【請求項１５】
前記第１アプリケーションデータストリームの状態に基づいて、前記第１アプリケーションデータストリームとＰＤＵセッションとの関連の更新操作及び／又はネットワークスライス情報の更新操作及び／又はＰＤＵセッションの更新操作を実行することは、
前記第１アプリケーションデータストリームの状態が非アクティブ状態である場合、前記第１アプリケーションデータストリームとＰＤＵセッションとの関連の更新操作及び／又はネットワークスライス情報の更新操作及び／又はＰＤＵセッションの更新操作を実行し、前記第１アプリケーションデータストリームの状態が非アクティブ状態であることは、前記第１アプリケーションデータストリームに現在又は所定の期間内で何らのデータパケットも存在しないか又はハートビートパケットのみが存在することであることを含むことを特徴とする
請求項１４に記載の方法。
【請求項１６】
前記第１アプリケーションデータストリームの状態に基づいて、前記第１アプリケーションデータストリームとＰＤＵセッションとの関連の更新操作及び／又はネットワークスライス情報の更新操作及び／又はＰＤＵセッションの更新操作を実行することは、
前記第１アプリケーションデータストリームの状態が、前記第１アプリケーションデータストリームのレートが第１閾値以下であることを示す場合、前記第１アプリケーションデータストリームとＰＤＵセッションとの関連の更新操作及び／又はネットワークスライス情報の更新操作及び／又はＰＤＵセッションの更新操作を実行することを含むことを特徴とする
請求項１４に記載の方法。
【請求項１７】
異なる指示パラメータが、異なる優先度情報に対応し、前記第１指示情報が少なくとも２つの指示パラメータを含む場合、優先度が高い指示パラメータに対応する実行条件を満たすか又は第２時間長内で満たすかを判定し、満たす場合、前記優先度の高い指示パラメータに基づいて、アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行し、満たさない場合、優先度が次に高い指示パラメータの実行条件を満たすか又は第２時間長内で満たすかを判定し、満たす場合、前記優先度が次に高い指示パラメータに基づいて、アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行することを特徴とする
請求項５から１６のいずれか一項に記載の方法。
【請求項１８】
前記第１ＵＥポリシーに基づいて前記アプリケーションデータストリームとＰＤＵセッションとの関連の更新操作及び／又はＷＬＡＮアクセス選択の更新操作を実行することは、
前記第１ＵＥポリシーに基づいて、前記アプリケーションデータストリームの現在の第１ＰＤＵセッションを、ターゲット条件に合致する第２ＰＤＵセッションに変更し、前記アプリケーションデータストリームを前記第２ＰＤＵセッションで搬送すること、及び／又は、
前記第１ＵＥポリシーに基づいて、前記端末の現在の第１ＷＬＡＮ接続を、ターゲット条件に合致する第２ＷＬＡＮ接続に変更し、前記第１ＷＬＡＮ接続のデータストリームを前記第２ＷＬＡＮ接続で搬送することを含むことを特徴とする
請求項５から１７のいずれか一項に記載の方法。
【請求項１９】
前記第１ＵＥポリシーに基づいて、前記アプリケーションデータストリームとＰＤＵセッションとの関連の更新操作及び／又はＷＬＡＮアクセス選択の更新操作を実行することは、
前記第１ＵＥポリシーに基づいて、前記アプリケーションデータストリームのために、ターゲット条件に合致する第２ＰＤＵセッションを確立し、前記アプリケーションデータストリームを前記第２ＰＤＵで搬送すること、及び／又は、
前記第１ＵＥポリシーに基づいて、前記端末のために、ターゲット条件に合致する第２ＷＬＡＮ接続を確立し、第１ＷＬＡＮ接続のデータストリームを前記第２ＷＬＡＮ接続で搬送することを含むことを特徴とする
請求項５から１７のいずれか一項に記載の方法。
【請求項２０】
前記方法は、
前記アプリケーションデータストリームを前記第２ＰＤＵで搬送してから、前記アプリケーションデータストリームの元の第１ＰＤＵセッションを削除すること、及び／又は、
前記第１ＷＬＡＮ接続のデータストリームを前記第２ＷＬＡＮ接続で搬送してから、前記第１ＷＬＡＮ接続を削除することを更に含むことを特徴とする
請求項１９に記載の方法。
【請求項２１】
前記方法は、
前記端末が前記第１指示情報を受信していない場合、前記端末が、第１情報に基づいてターゲット指示パラメータを決定し、前記ターゲット指示パラメータに対応する更新操作を実行することを更に含み、
ここで、前記ターゲット指示パラメータは、前記第１指示情報における第１指示パラメータ、前記第１指示情報における第２指示パラメータ、前記第１指示情報における第３指示パラメータ、前記第１指示情報における第４指示パラメータ、前記第１指示情報における第５指示パラメータのうちの１つであることを特徴とする
請求項５から２０のいずれか一項に記載の方法。
【請求項２２】
前記端末が受信したＰＳＩ、ＲＳＤ又はＵＲＳＰ又は前記第１ＵＥポリシーにターゲット指示パラメータが含まれる場合、前記ターゲット指示パラメータに対応する更新操作を実行し、
前記端末が受信したＰＳＩ、ＲＳＤ又はＵＲＳＰ又は前記第１ＵＥポリシーにターゲット指示パラメータが含まれない場合、デフォルト指示パラメータに対応する更新操作を実行し、
ここで、前記デフォルト指示パラメータは、第１指示パラメータ、第２指示パラメータ、第３指示パラメータ、第４指示パラメータ、第５指示パラメータのうちの１つであることを特徴とする
請求項５から２１のいずれか一項に記載の方法。
【請求項２３】
前記第１ＵＥポリシーは、複数の部分に分割され、異なる部分は、異なる番号値に対応し、異なる番号値の範囲は、異なる指示パラメータに対応し、前記端末に、番号値の範囲と指示パラメータとの対応関係が記憶されており、
前記端末は、前記第１ＵＥポリシーにおける第１ルールを受信してから、前記第１ルールの番号値及び記憶している前記番号値の範囲と指示パラメータとの対応関係に基づいて、前記第１ルールに対応する指示パラメータを決定し、対応する更新操作を実行することを特徴とする
請求項５から２１のいずれか一項に記載の方法。
【請求項２４】
前記方法は、
前記端末が前記第１ＵＥポリシーを受信してから、前記第１ＵＥポリシーに基づいて、現在記憶されているＵＥポリシーを更新し、肯定応答メッセージを前記ネットワーク装置に送信することを更に含むことを特徴とする
請求項１から２３のいずれか一項に記載の方法。
【請求項２５】
現在ＵＥに新しいルール識別子が存在しない場合、前記ルール識別子及び対応する内容を追加し、現在、ＵＥに記憶されているルール識別子が新しいルール識別子と重複し、且つ前記新しいルールに具体的な内容が含まれる場合、前記記憶されているルール識別子及び内容を置き換え、現在ＵＥに記憶されているルール識別子が新しいルール識別子と重複し、且つ前記新しいルールにルール識別子のみが含まれる場合、前記記憶されているルール識別子及び内容を削除することを特徴とする
請求項２４に記載の方法。
【請求項２６】
前記第１ＵＥポリシー更新過程において、置き換えられるＵＥポリシーについて、前記置き換えられるＵＥポリシーに対応する指示パラメータに基づいて更新操作を実行するか、又は新しく配信されたＵＥポリシーに対応する指示パラメータに基づいて更新操作を実行し、前記置き換えられるＵＥポリシーは、ローカルに記憶され、前記第１ＵＥポリシーの更新によって削除されるＵＥポリシーを指すことを特徴とする
請求項２５に記載の方法。
【請求項２７】
前記第１ＵＥポリシー更新過程において、置き換えられるＵＥポリシーは、元のＵＥポリシーから新しいＵＥポリシーに変更され、元のＵＥポリシーのＴｒａｆｆｉｃ  Ｄｅｓｃｒｉｐｔｏｒが、第１範囲に対応し、新しいＵＥポリシーのＴｒａｆｆｉｃ  Ｄｅｓｃｒｉｐｔｏｒが、第２範囲に対応する場合、前記第１範囲と前記第２範囲との重複範囲に対応するアプリケーションデータストリームに対して、前記新しいＵＥポリシー又は元のＵＥポリシーに基づいて更新操作を実行することを特徴とする
請求項２５又は２６に記載の方法。
【請求項２８】
前記端末が前記第１ＵＥポリシーを記憶してから、前記端末は、第１ルールにおける第１ＲＳＤ及び／又は第１ＷＬＡＮＳＰルールを利用してアプリケーションデータストリームをバインディングし、前記端末がその後に、指定条件を満たす第２ＵＲＳＰルール及び／又は第１ＵＲＳＰルールにおける第２ＲＳＤ及び／又は第２ＷＬＡＮＳＰルールが利用可能であると判定した場合、前記端末は、前記第１指示情報における指示パラメータに基づいて、指定条件を満たす前記第２ＵＲＳＰルール及び／又は第１ＵＲＳＰルールにおける第２ＲＳＤ及び／又は第２ＷＬＡＮＳＰルールに対応するＴｒａｆｆｉｃ  Ｄｅｓｃｒｉｐｔｏｒで記述されたアプリケーションデータストリームを、指定条件を満たす前記第２ＵＲＳＰルール及び／又は第１ＵＲＳＰルールにおける第２ＲＳＤ及び／又は第２ＷＬＡＮＳＰにバインディングするという操作の実行タイミングを決定することを特徴とする
請求項５から２７のいずれか一項に記載の方法。
【請求項２９】
サブスクリプション情報又はポリシー情報に指示パラメータを追加し、前記指示パラメータは、前記端末が更新のＵＲＳＰルール及び／又はＷＬＡＮＳＰルールを受信した後の挙動を示すためのものであり、前記挙動は、関連更新を直ちに行うこと、ＰＤＵセッションがアクティブ状態でない時に、関連更新を行うこと、又は、所定の期間内で関連更新を行うことであることを特徴とする
請求項１から２８のいずれか一項に記載の方法。
【請求項３０】
前記端末が更新のＵＲＳＰルール及び／又はＷＬＡＮＳＰルールを受信した場合、影響されるトラヒックデータストリームが現在１つのＰＤＵセッションでデータ伝送を行っているかを判定し、そうであれば、前記ＰＤＵセッションに対応する指示パラメータを決定し、前記指示パラメータに基づいて、関連更新の実行タイミングを決定することを特徴とする
請求項２９に記載の方法。
【請求項３１】
前記アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行することは、
前記アプリケーションデータストリームが伝送している場合、前記アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行しないことと、
前記アプリケーションデータストリームの伝送が完了した後に、次回の伝送を始める時に、前記アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行することとを含むことを特徴とする
請求項１から３０のいずれか一項に記載の方法。
【請求項３２】
前記第１指示情報に含まれる指示パラメータは、異なるＰＳＩ識別子によって異なるか、又は、
前記第１指示情報に含まれる指示パラメータは、異なるＵＲＳＰ  Ｒｕｌｅによって異なるか、又は
前記第１指示情報に含まれる指示パラメータは、異なるＡＮＤＳＰ  Ｒｕｌｅによって異なるか、又は
前記第１指示情報に含まれる指示パラメータは、異なるＲＳＤによって異なることを特徴とする
請求項１から３１のいずれか一項に記載の方法。
【請求項３３】
前記方法は、
前記端末が、前記ネットワーク装置からの第２指示情報を受信することと、
前記端末が、前記第２指示情報に基づいて、前記第１ＵＥポリシーに対する応答メッセージを前記ネットワーク装置に送信するかを決定することとを更に含むことを特徴とする
請求項１から３２のいずれか一項に記載の方法。
【請求項３４】
ＵＥポリシー更新方法であって、
ネットワーク装置が、端末に第１ＵＥポリシー及び／又は第１指示情報を送信し、それによって、前記端末に、前記第１ＵＥポリシー及び／又は前記第１指示情報に基づいて、アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行させることを含む、ＵＥポリシー更新方法。
【請求項３５】
前記端末のＵＥポリシーの更新が発生した場合、前記ネットワーク装置は、前記端末に第１ＵＥポリシー及び／又は第１指示情報を送信し、ここで、前記第１ＵＥポリシーは、更新しようとするＵＥポリシーであることを特徴とする
請求項３４に記載の方法。
【請求項３６】
前記端末にハンドオーバーが発生した場合、前記端末のＵＥポリシーの更新が発生したことであることを特徴とする
請求項３４に記載の方法。
【請求項３７】
前記第１指示情報は、第１指示パラメータを含み、前記第１指示パラメータは、アイドル状態に入った後に、前記第１ＵＥポリシーに基づいて、前記アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行するように、前記端末に指示するためのものであることを特徴とする
請求項３４から３６のいずれか一項に記載の方法。
【請求項３８】
前記第１指示情報は、第２指示パラメータを含み、前記第２指示パラメータは、前記第１指示情報を受信した後に、直ちに前記第１ＵＥポリシーに基づいて、前記アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行するように、前記端末に指示するためのものであることを特徴とする
請求項３４から３７のいずれか一項に記載の方法。
【請求項３９】
前記第１指示情報は、第３指示パラメータを含み、前記第３指示パラメータは、前記第１指示情報を受信した後に、第１時間長内で前記第１ＵＥポリシーに基づいて、前記アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行するように、前記端末に指示するためのものであることを特徴とする
請求項３４から３８のいずれか一項に記載の方法。
【請求項４０】
前記第１指示情報は、第４指示パラメータを含み、前記第４指示パラメータは、前記第１ＵＥポリシーに基づいて、ＵＲＳＰ  ＲｕｌｅにおけるＴｒａｆｆｉｃ  Ｄｅｓｃｒｉｐｔｏｒにより、現在用いられているＰＤＵセッションが非アクティブ状態にあると判定した場合、前記Ｔｒａｆｆｉｃ  Ｄｅｓｃｒｉｐｔｏｒに対応するアプリケーションデータストリームとＰＤＵセッションとの関連の更新操作を実行するように、前記端末に指示するためのものであり、前記ＰＤＵセッションが非アクティブ状態にあることは、前記ＰＤＵセッションが何らのデータも伝送していないこと及び／又はエアインタフェースリソースがリリースされていることであることを特徴とする
請求項３４から３９のいずれか一項に記載の方法。
【請求項４１】
前記第１指示情報は、第５指示パラメータを含み、前記第５指示パラメータは、前記第１ＵＥポリシーに基づいて、ＵＲＳＰ  Ｒｕｌｅにおける第１アプリケーションデータストリームの状態を判定し、前記第１アプリケーションデータストリームの状態に基づいて、前記第１アプリケーションデータストリームとＰＤＵセッションとの関連の更新操作及び／又はネットワークスライス情報の更新操作及び／又はＰＤＵセッションの更新操作を実行するように、前記端末に指示するためのものであることを特徴とする
請求項３４から４０のいずれか一項に記載の方法。
【請求項４２】
前記第１アプリケーションデータストリームの状態に基づいて、前記第１アプリケーションデータストリームとＰＤＵセッションとの関連の更新操作及び／又はネットワークスライス情報の更新操作及び／又はＰＤＵセッションの更新操作を実行することは、
前記第１アプリケーションデータストリームの状態が非アクティブ状態である場合、前記第１アプリケーションデータストリームとＰＤＵセッションとの関連の更新操作及び／又はネットワークスライス情報の更新操作及び／又はＰＤＵセッションの更新操作を実行し、前記第１アプリケーションデータストリームの状態が非アクティブ状態であることは、前記第１アプリケーションデータストリームに現在又は所定の期間内で何らのデータパケットも存在しないか又はハートビートパケットのみが存在することであることを含むことを特徴とする
請求項４１に記載の方法。
【請求項４３】
前記第１アプリケーションデータストリームの状態に基づいて、前記第１アプリケーションデータストリームとＰＤＵセッションとの関連の更新操作及び／又はネットワークスライス情報の更新操作及び／又はＰＤＵセッションの更新操作を実行することは、
前記第１アプリケーションデータストリームの状態が、前記第１アプリケーションデータストリームのレートが第１閾値以下であることを示す場合、前記第１アプリケーションデータストリームとＰＤＵセッションとの関連の更新操作及び／又はネットワークスライス情報の更新操作及び／又はＰＤＵセッションの更新操作を実行することを含むことを特徴とする
請求項４１に記載の方法。
【請求項４４】
異なる指示パラメータが、異なる優先度情報に対応し、前記第１指示情報が少なくとも２つの指示パラメータを含む場合、優先度が高い指示パラメータに対応する実行条件を満たすか又は第２時間長内で満たすかを判定し、満たす場合、前記優先度の高い指示パラメータに基づいて、アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行し、満たさない場合、優先度が次に高い指示パラメータの実行条件を満たすか又は第２時間長内で満たすかを判定し、満たす場合、前記優先度が次に高い指示パラメータに基づいて、アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行することを特徴とする
請求項３７から４３のいずれか一項に記載の方法。
【請求項４５】
前記方法は、
前記ネットワーク装置が、現在ＰＤＵセッションに対応するＵＲＳＰルール及び／又はＷＬＡＮＳＰルールを記憶することと、
前記ＵＲＳＰルール及び／又はＷＬＡＮＳＰルールを更新する必要がある場合、更新しようとするＵＲＳＰルール及び／又はＷＬＡＮＳＰルールで記述されたデータストリームのデータがＰＤＵセッションで伝送を実行している場合、更新をトリガしないか又は更新のトリガを見合わせ、更新を必要とする他のＵＲＳＰルール又はＷＬＡＮＳＰルールに対して更新をトリガすることとを更に含むことを特徴とする
請求項３４から４４のいずれか一項に記載の方法。
【請求項４６】
前記方法は、
前記ＰＣＦが、ＵＲＳＰルール又はＷＬＡＮＳＰルールに基づいて、アプリケーション検出イベントをＳＭＦ／ＵＰＦに配信して、前記ＳＭＦ／ＵＰＦに特定のアプリケーションに対する検出を行わせることと、
ＵＲＳＰルール又はＷＬＡＮＳＰルールを更新する必要がある場合、ＰＣＦが、ＳＭＦ／ＵＰＦからの特定のアプリケーションの検出報告を受信したかを確認し、受信していない場合、ＰＣＦがＵＲＳＰルール又はＷＬＡＮＳＰルールの更新を配信し、受信した場合、ＵＲＳＰルール又はＷＬＡＮＳＰルールの更新の配信を見合わせ、ＳＭＦ／ＵＰＦが該アプリケーションデータストリームの停止を報告してから、又は所定の期間を経過してから、ＰＣＦがＵＲＳＰルール又はＷＬＡＮＳＰルールの更新を配信することとを更に含むことを特徴とする
請求項４５に記載の方法。
【請求項４７】
前記方法は、
前記ＰＣＦが、サードパーティアプリケーションサーバの通知メッセージによって、特定のアプリケーションの状態を取得することで、ＵＲＳＰルール又はＷＬＡＮＳＰルールを更新するかを決定することを更に含むことを特徴とする
請求項４５に記載の方法。
【請求項４８】
前記第１指示情報に含まれる指示パラメータは、異なるＰＳＩ識別子によって異なるか、又は、
前記第１指示情報に含まれる指示パラメータは、異なるＵＲＳＰ  Ｒｕｌｅによって異なるか、又は
前記第１指示情報に含まれる指示パラメータは、異なるＡＮＤＳＰ  Ｒｕｌｅによって異なるか、又は
前記第１指示情報に含まれる指示パラメータは、異なるＲＳＤによって異なることを特徴とする
請求項３４から４７のいずれか一項に記載の方法。
【請求項４９】
前記方法は、
前記ネットワーク装置が前記端末に第２指示情報を送信し、それによって、前記端末に、前記第２指示情報に基づいて前記第１ＵＥポリシーに対する応答メッセージを前記ネットワーク装置に送信するかを決定させることを更に含むことを特徴とする
請求項３４から４８のいずれか一項に記載の方法。
【請求項５０】
ＵＥポリシー更新装置であって、
ネットワーク装置からの第１ＵＥポリシー及び／又は第１指示情報を受信するように構成される第１受信ユニットと、
前記第１ＵＥポリシー及び／又は前記第１指示情報に基づいて、アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行するように構成される更新ユニットとを備える、ＵＥポリシー更新装置。
【請求項５１】
前記端末のＵＥポリシーの更新が発生した場合、前記第１受信ユニットは、前記ネットワーク装置からの第１ＵＥポリシー及び／又は第１指示情報を受信し、ここで、前記第１ＵＥポリシーは、更新しようとするＵＥポリシーであることを特徴とする
請求項５０に記載の装置。
【請求項５２】
前記端末にハンドオーバーが発生した場合、前記端末のＵＥポリシーの更新が発生したことであることを特徴とする
請求項５１に記載の装置。
【請求項５３】
前記端末がデータトラヒックを実行している場合、前記更新ユニットは、前記第１ＵＥポリシー及び／又は前記第１指示情報に基づいて、アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行することを特徴とする
請求項５０から５２のいずれか一項に記載の装置。
【請求項５４】
前記第１指示情報は、第１指示パラメータを含み、前記第１指示パラメータは、アイドル状態に入った後に、前記第１ＵＥポリシーに基づいて、前記アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行するように、前記端末に指示するためのものであることを特徴とする
請求項５０から５３のいずれか一項に記載の装置。
【請求項５５】
前記第１指示情報は、第２指示パラメータを含み、前記第２指示パラメータは、前記第１指示情報を受信した後に、直ちに前記第１ＵＥポリシーに基づいて、前記アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行するように、前記端末に指示するためのものであることを特徴とする
請求項５０から５４のいずれか一項に記載の装置。
【請求項５６】
前記第１指示情報は、第３指示パラメータを含み、前記第３指示パラメータは、前記第１指示情報を受信した後に、第１時間長内で前記第１ＵＥポリシーに基づいて、前記アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行するように、前記端末に指示するためのものであることを特徴とする
請求項５０から５５のいずれか一項に記載の装置。
【請求項５７】
前記更新ユニットは、
前記端末が前記第１時間長内でアイドル状態に入るとした場合、前記第１ＵＥポリシーに基づいて、前記アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行し、
前記端末が前記第１時間長内で接続状態にある場合、前記第１ＵＥポリシーに基づいて、前記アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行するように構成されることを特徴とする
請求項５６に記載の装置。
【請求項５８】
前記装置は、
前記端末が前記第１時間長内で接続状態にあり、且つデータの伝送を実行している場合、前記データの伝送を中止し、前記接続状態から前記アイドル状態に戻るように構成される状態制御ユニットを更に備えることを特徴とする
請求項５７に記載の装置。
【請求項５９】
前記装置は、
前記端末が前記第１時間長内で接続状態にある場合、前記ネットワーク装置の制御で、ＲＲＣ接続又はＮＡＳ接続をリリースして前記接続状態から前記アイドル状態に戻るように構成される状態制御ユニットを更に備えることを特徴とする
請求項５７に記載の装置。
【請求項６０】
前記アプリケーションデータストリームとＰＤＵセッションとの関連の更新操作を実行することは、元のアプリケーションデータストリームを、更新ルールに合致するＰＤＵセッションにバインディングし、前記更新ルールが前記第１ＵＥポリシーにおけるルールであることを含むことを特徴とする
請求項５６から５９のいずれか一項に記載の装置。
【請求項６１】
前記第１指示情報は、第４指示パラメータを含み、前記第４指示パラメータは、前記第１ＵＥポリシーに基づいて、ＵＲＳＰ  ＲｕｌｅにおけるＴｒａｆｆｉｃ  Ｄｅｓｃｒｉｐｔｏｒにより、現在用いられているＰＤＵセッションが非アクティブ状態にあると判定した場合、前記Ｔｒａｆｆｉｃ  Ｄｅｓｃｒｉｐｔｏｒに対応するアプリケーションデータストリームとＰＤＵセッションとの関連の更新操作を実行するように、前記端末に指示するためのものであり、前記ＰＤＵセッションが非アクティブ状態にあることは、前記ＰＤＵセッションが何らのデータも伝送していないこと及び／又はエアインタフェースリソースがリリースされていることであることを特徴とする
請求項５０から６０のいずれか一項に記載の装置。
【請求項６２】
前記Ｔｒａｆｆｉｃ  Ｄｅｓｃｒｉｐｔｏｒに対応するアプリケーションデータストリームとＰＤＵセッションとの関連の更新操作を実行することは、新しいＰＤＵセッションを確立するか又は既存のＰＤＵセッションに対して変更を開始し、前記Ｔｒａｆｆｉｃ  Ｄｅｓｃｒｉｐｔｏｒに対応するアプリケーションデータストリームを新しいＰＤＵセッション又は変更後のＰＤＵセッションにバインディングすることを含むことを特徴とする
請求項６１に記載の装置。
【請求項６３】
前記第１指示情報は、第５指示パラメータを含み、前記第５指示パラメータは、前記第１ＵＥポリシーに基づいて、ＵＲＳＰ  Ｒｕｌｅにおける第１アプリケーションデータストリームの状態を判定し、前記第１アプリケーションデータストリームの状態に基づいて、前記第１アプリケーションデータストリームとＰＤＵセッションとの関連の更新操作及び／又はネットワークスライス情報の更新操作及び／又はＰＤＵセッションの更新操作を実行するように、前記端末に指示するためのものであることを特徴とする
請求項５０から６２のいずれか一項に記載の装置。
【請求項６４】
前記第１アプリケーションデータストリームの状態に基づいて、前記第１アプリケーションデータストリームとＰＤＵセッションとの関連の更新操作及び／又はネットワークスライス情報の更新操作及び／又はＰＤＵセッションの更新操作を実行することは、
前記第１アプリケーションデータストリームの状態が非アクティブ状態である場合、前記第１アプリケーションデータストリームとＰＤＵセッションとの関連の更新操作及び／又はネットワークスライス情報の更新操作及び／又はＰＤＵセッションの更新操作を実行し、前記第１アプリケーションデータストリームの状態が非アクティブ状態であることは、前記第１アプリケーションデータストリームに現在又は所定の期間内で何らのデータパケットも存在しないか又はハートビートパケットのみが存在することであることを含むことを特徴とする
請求項６３に記載の装置。
【請求項６５】
前記第１アプリケーションデータストリームの状態に基づいて、前記第１アプリケーションデータストリームとＰＤＵセッションとの関連の更新操作及び／又はネットワークスライス情報の更新操作及び／又はＰＤＵセッションの更新操作を実行することは、
前記第１アプリケーションデータストリームの状態が、前記第１アプリケーションデータストリームのレートが第１閾値以下であることを示す場合、前記第１アプリケーションデータストリームとＰＤＵセッションとの関連の更新操作及び／又はネットワークスライス情報の更新操作及び／又はＰＤＵセッションの更新操作を実行することを含むことを特徴とする
請求項６３に記載の装置。
【請求項６６】
異なる指示パラメータが、異なる優先度情報に対応し、前記第１指示情報が少なくとも２つの指示パラメータを含む場合、優先度が高い指示パラメータに対応する実行条件を満たすか又は第２時間長内で満たすかを判定し、満たす場合、前記優先度の高い指示パラメータに基づいて、アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行し、満たさない場合、優先度が次に高い指示パラメータの実行条件を満たすか又は第２時間長内で満たすかを判定し、満たす場合、前記優先度が次に高い指示パラメータに基づいて、アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行することを特徴とする
請求項５４から６５のいずれか一項に記載の装置。
【請求項６７】
前記更新ユニットは、前記第１ＵＥポリシーに基づいて、前記アプリケーションデータストリームの現在の第１ＰＤＵセッションを、ターゲット条件に合致する第２ＰＤＵセッションに変更し、前記アプリケーションデータストリームを前記第２ＰＤＵセッションで搬送すること、及び／又は、前記第１ＵＥポリシーに基づいて、前記端末の現在の第１ＷＬＡＮ接続を、ターゲット条件に合致する第２ＷＬＡＮ接続に変更し、前記第１ＷＬＡＮ接続のデータストリームを前記第２ＷＬＡＮ接続で搬送することに用いられることを特徴とする
請求項５４から６６のいずれか一項に記載の装置。
【請求項６８】
前記更新ユニットは、前記第１ＵＥポリシーに基づいて、前記アプリケーションデータストリームのために、ターゲット条件に合致する第２ＰＤＵセッションを確立し、前記アプリケーションデータストリームを前記第２ＰＤＵで搬送すること、及び／又は、前記第１ＵＥポリシーに基づいて、前記端末のために、ターゲット条件に合致する第２ＷＬＡＮ接続を確立し、第１ＷＬＡＮ接続のデータストリームを前記第２ＷＬＡＮ接続で搬送することに用いられることを特徴とする
請求項５４から６６のいずれか一項に記載の装置。
【請求項６９】
前記更新ユニットは更に、前記アプリケーションデータストリームを前記第２ＰＤＵで搬送してから、前記アプリケーションデータストリームの元の第１ＰＤＵセッションを削除すること、及び／又は、前記第１ＷＬＡＮ接続のデータストリームを前記第２ＷＬＡＮ接続で搬送してから、前記第１ＷＬＡＮ接続を削除することに用いられることを特徴とする
請求項６８に記載の装置。
【請求項７０】
前記更新ユニットは更に、前記第１受信ユニットが前記第１指示情報を受信していない場合、前記端末が第１情報に基づいてターゲット指示パラメータを決定し、前記ターゲット指示パラメータに対応する更新操作を実行することに用いられ、ここで、前記ターゲット指示パラメータは、前記第１指示情報における第１指示パラメータ、前記第１指示情報における第２指示パラメータ、前記第１指示情報における第３指示パラメータ、前記第１指示情報における第４指示パラメータ、前記第１指示情報における第５指示パラメータのうちの１つであることを特徴とする
請求項５４から６９のいずれか一項に記載の装置。
【請求項７１】
前記第１受信ユニットが受信したＰＳＩ、ＲＳＤ又はＵＲＳＰ又は前記第１ＵＥポリシーにターゲット指示パラメータが含まれる場合、前記ターゲット指示パラメータに対応する更新操作を実行し、
前記第１受信ユニットが受信したＰＳＩ、ＲＳＤ又はＵＲＳＰ又は前記第１ＵＥポリシーにターゲット指示パラメータが含まれない場合、デフォルト指示パラメータに対応する更新操作を実行し、
ここで、前記デフォルト指示パラメータは、第１指示パラメータ、第２指示パラメータ、第３指示パラメータ、第４指示パラメータ、第５指示パラメータのうちの１つであることを特徴とする
請求項５４から７０のいずれか一項に記載の装置。
【請求項７２】
前記第１ＵＥポリシーは、複数の部分に分割され、異なる部分は、異なる番号値に対応し、異なる番号値の範囲は、異なる指示パラメータに対応し、前記端末に、番号値の範囲と指示パラメータとの対応関係が記憶されており、
前記第１受信ユニットは、前記第１ＵＥポリシーにおける第１ルールを受信してから、前記第１ルールの番号値及び記憶している前記番号値の範囲と指示パラメータとの対応関係に基づいて、前記第１ルールに対応する指示パラメータを決定し、対応する更新操作を実行することを特徴とする
請求項５４から７０のいずれか一項に記載の装置。
【請求項７３】
前記第１受信ユニットは、前記第１ＵＥポリシーを受信してから、前記第１ＵＥポリシーに基づいて、現在記憶されているＵＥポリシーを更新し、肯定応答メッセージを前記ネットワーク装置に送信することを特徴とする
請求項５０から７２のいずれか一項に記載の装置。
【請求項７４】
現在ＵＥに新しいルール識別子が存在しない場合、前記ルール識別子及び対応する内容を追加し、現在、ＵＥに記憶されているルール識別子が新しいルール識別子と重複し、且つ前記新しいルールに具体的な内容が含まれる場合、前記記憶されているルール識別子及び内容を置き換え、現在ＵＥに記憶されているルール識別子が新しいルール識別子と重複し、且つ前記新しいルールにルール識別子のみが含まれる場合、前記記憶されているルール識別子及び内容を削除することを特徴とする
請求項７３に記載の装置。
【請求項７５】
前記第１ＵＥポリシー更新過程において、置き換えられるＵＥポリシーについて、前記置き換えられるＵＥポリシーに対応する指示パラメータに基づいて更新操作を実行するか、又は新しく配信されたＵＥポリシーに対応する指示パラメータに基づいて更新操作を実行し、前記置き換えられるＵＥポリシーは、ローカルに記憶され、前記第１ＵＥポリシーの更新によって削除されるＵＥポリシーを指すことを特徴とする
請求項７４に記載の装置。
【請求項７６】
前記第１ＵＥポリシー更新過程において、置き換えられるＵＥポリシーは、元のＵＥポリシーから新しいＵＥポリシーに変更され、元のＵＥポリシーのＴｒａｆｆｉｃ  Ｄｅｓｃｒｉｐｔｏｒが、第１範囲に対応し、新しいＵＥポリシーのＴｒａｆｆｉｃ  Ｄｅｓｃｒｉｐｔｏｒが、第２範囲に対応する場合、前記第１範囲と前記第２範囲との重複範囲に対応するアプリケーションデータストリームに対して、前記新しいＵＥポリシー又は元のＵＥポリシーに基づいて更新操作を実行することを特徴とする
請求項７４又は７５に記載の装置。
【請求項７７】
前記端末は、第１ルールにおける第１ＲＳＤ及び／又は第１ＷＬＡＮＳＰルールを利用してアプリケーションデータストリームをバインディングし、前記端末がその後に、指定条件を満たす第２ＵＲＳＰルール及び／又は第１ＵＲＳＰルールにおける第２ＲＳＤ及び／又は第２ＷＬＡＮＳＰルールが利用可能であると判定した場合、前記端末は、前記第１指示情報における指示パラメータに基づいて、指定条件を満たす前記第２ＵＲＳＰルール及び／又は第１ＵＲＳＰルールにおける第２ＲＳＤ及び／又は第２ＷＬＡＮＳＰルールに対応するＴｒａｆｆｉｃ  Ｄｅｓｃｒｉｐｔｏｒで記述されたアプリケーションデータストリームを、指定条件を満たす前記第２ＵＲＳＰルール及び／又は第１ＵＲＳＰルールにおける第２ＲＳＤ及び／又は第２ＷＬＡＮＳＰにバインディングするという操作の実行タイミングを決定することを特徴とする
請求項５４から７６のいずれか一項に記載の装置。
【請求項７８】
サブスクリプション情報又はポリシー情報に指示パラメータを追加し、前記指示パラメータは、前記端末が更新のＵＲＳＰルール及び／又はＷＬＡＮＳＰルールを受信した後の挙動を示すためのものであり、前記挙動は、関連更新を直ちに行うこと、ＰＤＵセッションがアクティブ状態でない時に、関連更新を行うこと、又は、所定の期間内で関連更新を行うことであることを特徴とする
請求項５０から７７のいずれか一項に記載の装置。
【請求項７９】
更新のＵＲＳＰルール及び／又はＷＬＡＮＳＰルールを受信した場合、影響されるトラヒックデータストリームが現在１つのＰＤＵセッションでデータ伝送を行っているかを判定し、そうであれば、前記ＰＤＵセッションに対応する指示パラメータを決定し、前記指示パラメータに基づいて、関連更新の実行タイミングを決定することを特徴とする
請求項７８に記載の装置。
【請求項８０】
前記アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行することは、
前記アプリケーションデータストリームが伝送している場合、前記アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行しないことと、
前記アプリケーションデータストリームの伝送が完了した後に、次回の伝送を始める時に、前記アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行することとを含むことを特徴とする
請求項５０から７９のいずれか一項に記載の装置。
【請求項８１】
前記第１指示情報に含まれる指示パラメータは、異なるＰＳＩ識別子によって異なるか、又は、
前記第１指示情報に含まれる指示パラメータは、異なるＵＲＳＰ  Ｒｕｌｅによって異なるか、又は
前記第１指示情報に含まれる指示パラメータは、異なるＡＮＤＳＰ  Ｒｕｌｅによって異なるか、又は
前記第１指示情報に含まれる指示パラメータは、異なるＲＳＤによって異なることを特徴とする
請求項５０から８０のいずれか一項に記載の装置。
【請求項８２】
前記装置は、
前記ネットワーク装置からの第２指示情報を受信するように構成される第２受信ユニットと、
前記第２指示情報に基づいて、前記第１ＵＥポリシーに対する応答メッセージを前記ネットワーク装置に送信するかを決定するように構成される応答ユニットとを更に備えることを特徴とする
請求項５０から８１のいずれか一項に記載の装置。
【請求項８３】
ＵＥポリシー更新装置であって、
端末に第１ＵＥポリシー及び／又は第１指示情報を送信し、それによって、前記端末に、前記第１ＵＥポリシー及び／又は前記第１指示情報に基づいて、アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行させるように構成される第１送信ユニットを備える、ＵＥポリシー更新装置。
【請求項８４】
前記端末のＵＥポリシーの更新が発生した場合、前記第１送信ユニットは、前記端末に第１ＵＥポリシー及び／又は第１指示情報を送信し、ここで、前記第１ＵＥポリシーは、更新しようとするＵＥポリシーであることを特徴とする
請求項８３に記載の装置。
【請求項８５】
前記端末にハンドオーバーが発生した場合、前記端末のＵＥポリシーの更新が発生したことであることを特徴とする
請求項８４に記載の装置。
【請求項８６】
前記第１指示情報は、第１指示パラメータを含み、前記第１指示パラメータは、アイドル状態に入った後に、前記第１ＵＥポリシーに基づいて、前記アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行するように、前記端末に指示するためのものであることを特徴とする
請求項８３から８５のいずれか一項に記載の装置。
【請求項８７】
前記第１指示情報は、第２指示パラメータを含み、前記第２指示パラメータは、前記第１指示情報を受信した後に、直ちに前記第１ＵＥポリシーに基づいて、前記アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行するように、前記端末に指示するためのものであることを特徴とする
請求項８３から８６のいずれか一項に記載の装置。
【請求項８８】
前記第１指示情報は、第３指示パラメータを含み、前記第３指示パラメータは、前記第１指示情報を受信した後に、第１時間長内で前記第１ＵＥポリシーに基づいて、前記アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行するように、前記端末に指示するためのものであることを特徴とする
請求項８３から８７のいずれか一項に記載の装置。
【請求項８９】
前記第１指示情報は、第４指示パラメータを含み、前記第４指示パラメータは、前記第１ＵＥポリシーに基づいて、ＵＲＳＰ  ＲｕｌｅにおけるＴｒａｆｆｉｃ  Ｄｅｓｃｒｉｐｔｏｒにより、現在用いられているＰＤＵセッションが非アクティブ状態にあると判定した場合、前記Ｔｒａｆｆｉｃ  Ｄｅｓｃｒｉｐｔｏｒに対応するアプリケーションデータストリームとＰＤＵセッションとの関連の更新操作を実行するように、前記端末に指示するためのものであり、前記ＰＤＵセッションが非アクティブ状態にあることは、前記ＰＤＵセッションが何らのデータも伝送していないこと及び／又はエアインタフェースリソースがリリースされていることであることを特徴とする
請求項８３から８８のいずれか一項に記載の装置。
【請求項９０】
前記第１指示情報は、第５指示パラメータを含み、前記第５指示パラメータは、前記第１ＵＥポリシーに基づいて、ＵＲＳＰ  Ｒｕｌｅにおける第１アプリケーションデータストリームの状態を判定し、前記第１アプリケーションデータストリームの状態に基づいて、前記第１アプリケーションデータストリームとＰＤＵセッションとの関連の更新操作及び／又はネットワークスライス情報の更新操作及び／又はＰＤＵセッションの更新操作を実行するように、前記端末に指示するためのものであることを特徴とする
請求項８３から８９のいずれか一項に記載の装置。
【請求項９１】
前記第１アプリケーションデータストリームの状態に基づいて、前記第１アプリケーションデータストリームとＰＤＵセッションとの関連の更新操作及び／又はネットワークスライス情報の更新操作及び／又はＰＤＵセッションの更新操作を実行することは、
前記第１アプリケーションデータストリームの状態が非アクティブ状態である場合、前記第１アプリケーションデータストリームとＰＤＵセッションとの関連の更新操作及び／又はネットワークスライス情報の更新操作及び／又はＰＤＵセッションの更新操作を実行し、前記第１アプリケーションデータストリームの状態が非アクティブ状態であることは、前記第１アプリケーションデータストリームに現在又は所定の期間内で何らのデータパケットも存在しないか又はハートビートパケットのみが存在することであることを含むことを特徴とする
請求項９０に記載の装置。
【請求項９２】
前記第１アプリケーションデータストリームの状態に基づいて、前記第１アプリケーションデータストリームとＰＤＵセッションとの関連の更新操作及び／又はネットワークスライス情報の更新操作及び／又はＰＤＵセッションの更新操作を実行することは、
前記第１アプリケーションデータストリームの状態が、前記第１アプリケーションデータストリームのレートが第１閾値以下であることを示す場合、前記第１アプリケーションデータストリームとＰＤＵセッションとの関連の更新操作及び／又はネットワークスライス情報の更新操作及び／又はＰＤＵセッションの更新操作を実行することを含むことを特徴とする
請求項９０に記載の装置。
【請求項９３】
異なる指示パラメータが、異なる優先度情報に対応し、前記第１指示情報が少なくとも２つの指示パラメータを含む場合、優先度が高い指示パラメータに対応する実行条件を満たすか又は第２時間長内で満たすかを判定し、満たす場合、前記優先度の高い指示パラメータに基づいて、アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行し、満たさない場合、優先度が次に高い指示パラメータの実行条件を満たすか又は第２時間長内で満たすかを判定し、満たす場合、前記優先度が次に高い指示パラメータに基づいて、アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行することを特徴とする
請求項８６から９２のいずれか一項に記載の装置。
【請求項９４】
前記ネットワーク装置は、現在ＰＤＵセッションに対応するＵＲＳＰルール及び／又はＷＬＡＮＳＰルールを記憶し、前記ＵＲＳＰルール及び／又はＷＬＡＮＳＰルールを更新する必要がある場合、更新しようとするＵＲＳＰルール及び／又はＷＬＡＮＳＰルールで記述されたデータストリームのデータがＰＤＵセッションで伝送を実行している場合、更新をトリガしないか又は更新のトリガを見合わせ、更新を必要とする他のＵＲＳＰルール又はＷＬＡＮＳＰルールに対して更新をトリガすることを特徴とする
請求項８３から９３のいずれか一項に記載の装置。
【請求項９５】
前記ＰＣＦは、ＵＲＳＰルール又はＷＬＡＮＳＰルールに基づいて、アプリケーション検出イベントをＳＭＦ／ＵＰＦに配信して特定のアプリケーションに対する検出を行い、ＵＲＳＰルール又はＷＬＡＮＳＰルールを更新する必要がある場合、ＰＣＦは、ＳＭＦ／ＵＰＦからの特定のアプリケーションの検出報告を受信したかを確認し、受信していない場合、ＰＣＦは、ＵＲＳＰルール又はＷＬＡＮＳＰルールの更新を配信し、受信した場合、ＵＲＳＰルール又はＷＬＡＮＳＰルールの更新の配信を見合わせ、ＳＭＦ／ＵＰＦが該アプリケーションデータストリームの停止を報告してから、又は所定の期間を経過してから、ＰＣＦは、ＵＲＳＰルール又はＷＬＡＮＳＰルールの更新を配信することを特徴とする
請求項９４に記載の装置。
【請求項９６】
前記ＰＣＦは、サードパーティアプリケーションサーバの通知メッセージによって、特定のアプリケーションの状態を取得することで、ＵＲＳＰルール又はＷＬＡＮＳＰルールを更新するかを決定することを特徴とする
請求項９４に記載の装置。
【請求項９７】
前記第１指示情報に含まれる指示パラメータは、異なるＰＳＩによって異なるか、又は、
前記第１指示情報に含まれる指示パラメータは、異なるＵＲＳＰ  Ｒｕｌｅによって異なるか、又は
前記第１指示情報に含まれる指示パラメータは、異なるＡＮＤＳＰ  Ｒｕｌｅによって異なるか、又は
前記第１指示情報に含まれる指示パラメータは、異なるＲＳＤによって異なることを特徴とする
請求項８３から９６のいずれか一項に記載の装置。
【請求項９８】
前記装置は、
前記端末に第２指示情報を送信し、それによって、前記端末に、前記第２指示情報に基づいて前記第１ＵＥポリシーに対する応答メッセージを前記ネットワーク装置に送信するかを決定させるように構成される第２送信ユニットを更に備えることを特徴とする
請求項８３から９７のいずれか一項に記載の装置。
【請求項９９】
コンピュータ記憶媒体であって、コンピュータによる実行可能な命令が記憶されており、該コンピュータによる実行可能な命令がプロセッサにより実行される時に、請求項１から３３のいずれか一項に記載の方法のステップ又は請求項３４から４９のいずれか一項に記載の方法のステップを実現させる、コンピュータ記憶媒体。
【発明の詳細な説明】
【技術分野】
【０００１】
本発明は、無線通信技術分野に関し、特にユーザ装置（ＵＥ：Ｕｓｅｒ  Ｅｑｕｉｐｍｅｎｔ）ポリシー更新方法及び装置、コンピュータ記憶媒体に関する。
【背景技術】
【０００２】
ＵＥポリシーは、無線ローカルエリアネットワーク選択ポリシー（ＷＬＡＮＳＰ：Ｗｉｒｅｌｅｓｓ  Ｌｏｃａｌ  Ａｒｅａ  Ｎｅｔｗｏｒｋｓ  Ｓｅｌｅｃｔｉｏｎ  Ｐｏｌｉｃｙ）及びＵＥルート選択ポリシー（ＵＲＳＰ：ＵＥ  Ｒｏｕｔｅ  Ｓｅｌｅｃｔｉｏｎ  Ｐｏｌｉｃｙ）を含む。ここで、ＷＬＡＮＳＰの役割は、端末のために、データ伝送を行うための適切な無線ローカルエリアネットワーク（ＷＬＡＮ，Ｗｉｒｅｌｅｓｓ  Ｌｏｃａｌ  Ａｒｅａ  Ｎｅｔｗｏｒｋｓ）接続を選択することである。ＵＲＳＰの役割は、異なるアプリケーションのために、異なるネットワークスライスを申請することであり、ＵＲＳＰは、他のポリシーと共に、関連するアプリケーションのために、特定のプロトコルデータユニット（ＰＤＵ：Ｐｒｏｔｏｃｏｌ  Ｄａｔａ  Ｕｎｉｔ）セッション（Ｓｅｓｓｉｏｎ）を確立してバインディングする。
【０００３】
しかしながら、ＵＥポリシーは、一定不変のものではなく、ＵＥポリシーの更新が発生した場合、ＵＥの挙動が不明確なものになってしまう。ＵＥポリシーのタイムリーな更新及びトラヒック継続性の維持を如何に確保するかは、解決しようとする課題である。
【発明の概要】
【発明が解決しようとする課題】
【０００４】
上記技術的課題を解決するために、本発明の実施例は、ＵＥポリシー更新方法及び装置、コンピュータ記憶媒体を提供する。
【課題を解決するための手段】
【０００５】
本発明の実施例が提供するＵＥポリシー更新方法は、
端末がネットワーク装置からの第１ＵＥポリシー及び／又は第１指示情報を受信することと、
前記端末が前記第１ＵＥポリシー及び／又は前記第１指示情報に基づいて、アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行することとを含む。
【０００６】
本発明の実施例において、前記端末のＵＥポリシーの更新が発生した場合、前記端末は、前記ネットワーク装置からの第１ＵＥポリシー及び／又は第１指示情報を受信し、ここで、前記第１ＵＥポリシーは、更新しようとするＵＥポリシーである。
【０００７】
本発明の実施例において、前記端末にハンドオーバーが発生した場合、前記端末のＵＥポリシーの更新が発生したことである。
【０００８】
本発明の実施例において、前記端末がデータトラヒックを実行している場合、前記端末は、前記第１ＵＥポリシー及び／又は前記第１指示情報に基づいて、アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行する。
【０００９】
本発明の実施例において、前記第１指示情報は、第１指示パラメータを含み、前記第１指示パラメータは、アイドル状態に入った後に、前記第１ＵＥポリシーに基づいて、前記アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行するように、前記端末に指示するためのものである。
【００１０】
本発明の実施例において、前記第１指示情報は、第２指示パラメータを含み、前記第２指示パラメータは、前記第１指示情報を受信した後に、直ちに前記第１ＵＥポリシーに基づいて、前記アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行するように、前記端末に指示するためのものである。
【００１１】
本発明の実施例において、前記第１指示情報は、第３指示パラメータを含み、前記第３指示パラメータは、前記第１指示情報を受信した後に、第１時間長内で前記第１ＵＥポリシーに基づいて、前記アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行するように、前記端末に指示するためのものである。
【００１２】
本発明の実施例において、第１時間長内で前記第１ＵＥポリシーに基づいて前記アプリケーションデータストリームとＰＤＵセッションとの関連の更新操作及び／又はＷＬＡＮアクセス選択の更新操作を実行することは、
前記端末が前記第１時間長内でアイドル状態に入るとした場合、前記第１ＵＥポリシーに基づいて、前記アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行することと、
前記端末が前記第１時間長内で接続状態にある場合、前記第１ＵＥポリシーに基づいて、前記アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行することとを含む。
【００１３】
本発明の実施例において、前記方法は、
前記端末が前記第１時間長内で接続状態にあり、且つデータの伝送を実行している場合、前記端末が、前記データの伝送を中止し、前記接続状態から前記アイドル状態に戻ることを更に含む。
【００１４】
本発明の実施例において、前記方法は、
前記端末が前記第１時間長内で接続状態にある場合、前記端末が、前記ネットワーク装置の制御で、ＲＲＣ接続又はＮＡＳ接続をリリースして前記接続状態から前記アイドル状態に戻ることを更に含む。
【００１５】
本発明の実施例において、前記アプリケーションデータストリームとＰＤＵセッションとの関連の更新操作を実行することは、元のアプリケーションデータストリームを、更新ルールに合致するＰＤＵセッションにバインディングし、前記更新ルールが前記第１ＵＥポリシーにおけるルールであることを含む。
【００１６】
本発明の実施例において、前記第１指示情報は、第４指示パラメータを含み、前記第４指示パラメータは、前記第１ＵＥポリシーに基づいて、ＵＲＳＰルール（ＵＲＳＰ  Ｒｕｌｅ）におけるトラヒック記述子（Ｔｒａｆｆｉｃ  Ｄｅｓｃｒｉｐｔｏｒ）に現在用いられているＰＤＵセッションが非アクティブ状態にあると判定した場合、前記Ｔｒａｆｆｉｃ  Ｄｅｓｃｒｉｐｔｏｒに対応するアプリケーションデータストリームとＰＤＵセッションとの関連の更新操作を実行するように、前記端末に指示するためのものであり、前記ＰＤＵセッションが非アクティブ状態にあることは、前記ＰＤＵセッションが何らのデータも伝送していないこと及び／又はエアインタフェースリソースがリリースされていることである。
【００１７】
本発明の実施例において、前記Ｔｒａｆｆｉｃ  Ｄｅｓｃｒｉｐｔｏｒに対応するアプリケーションデータストリームとＰＤＵセッションとの関連の更新操作を実行することは、新しいＰＤＵセッションを確立するか又は既存のＰＤＵセッションに対して変更を開始し、前記Ｔｒａｆｆｉｃ  Ｄｅｓｃｒｉｐｔｏｒに対応するアプリケーションデータストリームを新しいＰＤＵセッション又は変更後のＰＤＵセッションにバインディングすることを含む。
【００１８】
本発明の実施例において、前記第１指示情報は、第５指示パラメータを含み、前記第５指示パラメータは、前記第１ＵＥポリシーに基づいて、ＵＲＳＰ  Ｒｕｌｅにおける第１アプリケーションデータストリームの状態を判定し、前記第１アプリケーションデータストリームの状態に基づいて、前記第１アプリケーションデータストリームとＰＤＵセッションとの関連の更新操作及び／又はネットワークスライス情報の更新操作及び／又はＰＤＵセッションの更新操作を実行するように、前記端末に指示するためのものである。
【００１９】
本発明の実施例において、前記第１アプリケーションデータストリームの状態に基づいて、前記第１アプリケーションデータストリームとＰＤＵセッションとの関連の更新操作及び／又はネットワークスライス情報の更新操作及び／又はＰＤＵセッションの更新操作を実行することは、
前記第１アプリケーションデータストリームの状態が非アクティブ状態である場合、前記第１アプリケーションデータストリームとＰＤＵセッションとの関連の更新操作及び／又はネットワークスライス情報の更新操作及び／又はＰＤＵセッションの更新操作を実行し、前記第１アプリケーションデータストリームの状態が非アクティブ状態であることは、前記第１アプリケーションデータストリームに現在又は所定の期間内で何らのデータパケットも存在しないか又はハートビートパケットのみが存在することであることを含む。
【００２０】
本発明の実施例において、前記第１アプリケーションデータストリームの状態に基づいて、前記第１アプリケーションデータストリームとＰＤＵセッションとの関連の更新操作及び／又はネットワークスライス情報の更新操作及び／又はＰＤＵセッションの更新操作を実行することは、
前記第１アプリケーションデータストリームの状態が、前記第１アプリケーションデータストリームのレートが第１閾値以下であることを示す場合、前記第１アプリケーションデータストリームとＰＤＵセッションとの関連の更新操作及び／又はネットワークスライス情報の更新操作及び／又はＰＤＵセッションの更新操作を実行することを含む。
【００２１】
本発明の実施例において、異なる指示パラメータが、異なる優先度情報に対応し、前記第１指示情報が少なくとも２つの指示パラメータを含む場合、優先度が高い指示パラメータに対応する実行条件を満たすか又は第２時間長内で満たすかを判定し、満たす場合、前記優先度の高い指示パラメータに基づいて、アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行し、満たさない場合、優先度が次に高い指示パラメータの実行条件を満たすか又は第２時間長内で満たすかを判定し、満たす場合、前記優先度が次に高い指示パラメータに基づいて、アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行する。
【００２２】
本発明の実施例において、前記第１ＵＥポリシーに基づいて前記アプリケーションデータストリームとＰＤＵセッションとの関連の更新操作及び／又はＷＬＡＮアクセス選択の更新操作を実行することは、
前記第１ＵＥポリシーに基づいて、前記アプリケーションデータストリームの現在の第１ＰＤＵセッションを、ターゲット条件に合致する第２ＰＤＵセッションに変更し、前記アプリケーションデータストリームを前記第２ＰＤＵセッションで搬送すること、及び／又は、
前記第１ＵＥポリシーに基づいて、前記端末の現在の第１ＷＬＡＮ接続を、ターゲット条件に合致する第２ＷＬＡＮ接続に変更し、前記第１ＷＬＡＮ接続のデータストリームを前記第２ＷＬＡＮ接続で搬送することを含む。
【００２３】
本発明の実施例において、前記第１ＵＥポリシーに基づいて、前記アプリケーションデータストリームとＰＤＵセッションとの関連の更新操作及び／又はＷＬＡＮアクセス選択の更新操作を実行することは、
前記第１ＵＥポリシーに基づいて、前記アプリケーションデータストリームのために、ターゲット条件に合致する第２ＰＤＵセッションを確立し、前記アプリケーションデータストリームを前記第２ＰＤＵで搬送すること、及び／又は、
前記第１ＵＥポリシーに基づいて、前記端末のために、ターゲット条件に合致する第２ＷＬＡＮ接続を確立し、第１ＷＬＡＮ接続のデータストリームを前記第２ＷＬＡＮ接続で搬送することを含む。
【００２４】
本発明の実施例において、前記方法は、
前記アプリケーションデータストリームを前記第２ＰＤＵで搬送してから、前記アプリケーションデータストリームの元の第１ＰＤＵセッションを削除すること、及び／又は、
前記第１ＷＬＡＮ接続のデータストリームを前記第２ＷＬＡＮ接続で搬送してから、前記第１ＷＬＡＮ接続を削除することを更に含む。
【００２５】
本発明の実施例において、前記方法は、
前記端末が前記第１指示情報を受信していない場合、前記端末が第１情報に基づいてターゲット指示パラメータを決定し、前記ターゲット指示パラメータに対応する更新操作を実行することを更に含み、
ここで、前記ターゲット指示パラメータは、前記第１指示情報における第１指示パラメータ、前記第１指示情報における第２指示パラメータ、前記第１指示情報における第３指示パラメータ、前記第１指示情報における第４指示パラメータ、前記第１指示情報における第５指示パラメータのうちの１つである。
【００２６】
本発明の実施例において、前記端末が受信したＰＳＩ、ＲＳＤ又はＵＲＳＰ又は前記第１ＵＥポリシーにターゲット指示パラメータが含まれる場合、前記ターゲット指示パラメータに対応する更新操作を実行し、
前記端末が受信したＰＳＩ、ＲＳＤ又はＵＲＳＰ又は前記第１ＵＥポリシーにターゲット指示パラメータが含まれない場合、デフォルト指示パラメータに対応する更新操作を実行し、
ここで、前記デフォルト指示パラメータは、第１指示パラメータ、第２指示パラメータ、第３指示パラメータ、第４指示パラメータ、第５指示パラメータのうちの１つである。
【００２７】
本発明の実施例において、前記第１ＵＥポリシーは、複数の部分に分割され、異なる部分は、異なる番号値に対応し、異なる番号値の範囲は、異なる指示パラメータに対応し、前記端末に、番号値の範囲と指示パラメータとの対応関係が記憶されており、
前記端末は、前記第１ＵＥポリシーにおける第１ルールを受信してから、前記第１ルールの番号値及び記憶している前記番号値の範囲と指示パラメータとの対応関係に基づいて、前記第１ルールに対応する指示パラメータを決定し、対応する更新操作を実行する。
【００２８】
本発明の実施例において、前記方法は、
前記端末が前記第１ＵＥポリシーを受信してから、前記第１ＵＥポリシーに基づいて、現在記憶されているＵＥポリシーを更新し、肯定応答メッセージを前記ネットワーク装置に送信することを更に含む。
【００２９】
本発明の実施例において、現在ＵＥに新しいルール識別子が存在しない場合、前記ルール識別子及び対応する内容を追加し、現在、ＵＥに記憶されているルール識別子が新しいルール識別子と重複し、且つ前記新しいルールに具体的な内容が含まれる場合、前記記憶されているルール識別子及び内容を置き換え、現在ＵＥに記憶されているルール識別子が新しいルール識別子と重複し、且つ前記新しいルールにルール識別子のみが含まれる場合、前記記憶されているルール識別子及び内容を削除する。
【００３０】
本発明の実施例において、前記第１ＵＥポリシー更新過程において、置き換えられるＵＥポリシーについて、前記置き換えられるＵＥポリシーに対応する指示パラメータに基づいて更新操作を実行するか、又は新しく配信されたＵＥポリシーに対応する指示パラメータに基づいて更新操作を実行し、前記置き換えられるＵＥポリシーは、ローカルに記憶され、前記第１ＵＥポリシーの更新によって削除されるＵＥポリシーを指す。
【００３１】
本発明の実施例において、前記第１ＵＥポリシー更新過程において、置き換えられるＵＥポリシーは、元のＵＥポリシーから新しいＵＥポリシーに変更され、元のＵＥポリシーのＴｒａｆｆｉｃ  Ｄｅｓｃｒｉｐｔｏｒが、第１範囲に対応し、新しいＵＥポリシーのＴｒａｆｆｉｃ  Ｄｅｓｃｒｉｐｔｏｒが、第２範囲に対応する場合、前記第１範囲と前記第２範囲との重複範囲に対応するアプリケーションデータストリームに対して、前記新しいＵＥポリシー又は元のＵＥポリシーに基づいて更新操作を実行する。
【００３２】
本発明の実施例において、前記端末が前記第１ＵＥポリシーを記憶してから、前記端末は、第１ルールにおける第１ＲＳＤ及び／又は第１ＷＬＡＮＳＰルールを利用してアプリケーションデータストリームをバインディングする。前記端末がその後に、指定条件を満たす第２ＵＲＳＰルール及び／又は第１ＵＲＳＰルールにおける第２ＲＳＤ及び／又は第２ＷＬＡＮＳＰルールが利用可能であると判定した場合、前記端末は、前記第１指示情報における指示パラメータに基づいて、指定条件を満たす前記第２ＵＲＳＰルール及び／又は第１ＵＲＳＰルールにおける第２ＲＳＤ及び／又は第２ＷＬＡＮＳＰルールに対応するＴｒａｆｆｉｃ  Ｄｅｓｃｒｉｐｔｏｒで記述されたアプリケーションデータストリームを、指定条件を満たす前記第２ＵＲＳＰルール及び／又は第１ＵＲＳＰルールにおける第２ＲＳＤ及び／又は第２ＷＬＡＮＳＰにバインディングするという操作の実行タイミングを決定する。
【００３３】
本発明の実施例において、サブスクリプション情報又はポリシー情報に指示パラメータを追加し、前記指示パラメータは、前記端末が更新のＵＲＳＰルール及び／又はＷＬＡＮＳＰルールを受信した後の挙動を示すためのものであり、前記挙動は、関連更新を直ちに行うこと、ＰＤＵセッションがアクティブ状態でない時に、関連更新を行うこと、又は、所定の期間内で関連更新を行うことである。
【００３４】
本発明の実施例において、前記端末が更新のＵＲＳＰルール及び／又はＷＬＡＮＳＰルールを受信した場合、影響されるトラヒックデータストリームが現在１つのＰＤＵセッションでデータ伝送を行っているかを判定する。そうであれば、前記ＰＤＵセッションに対応する指示パラメータを決定し、前記指示パラメータに基づいて、関連更新の実行タイミングを決定する。
【００３５】
本発明の実施例において、前記アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行することは、
前記アプリケーションデータストリームが伝送している場合、前記アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行しないことと、
前記アプリケーションデータストリームの伝送が完了した後に、次回の伝送を始める時に、前記アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行することとを含む。
【００３６】
本発明の実施例において、前記第１指示情報に含まれる指示パラメータは、異なるポリシーセット識別子（ＰＳＩ：Ｐｏｌｉｃｙ  Ｓｅｔ  Ｉｄｅｎｔｉｆｉｃａｔｉｏｎ）によって異なるか、又は、
前記第１指示情報に含まれる指示パラメータは、異なるＵＲＳＰ  Ｒｕｌｅによって異なるか、又は
前記第１指示情報に含まれる指示パラメータは、異なるＡＮＤＳＰ  Ｒｕｌｅによって異なるか、又は
前記第１指示情報に含まれる指示パラメータは、異なるルート選択記述子（ＲＳＤ：Ｒｏｕｔｅ  Ｓｅｌｅｃｔｉｏｎ  Ｄｅｓｃｒｉｐｔｏｒ）によって異なる。
【００３７】
本発明の実施例において、前記方法は、
前記端末が前記ネットワーク装置からの第２指示情報を受信することと、
前記端末が前記第２指示情報に基づいて、前記第１ＵＥポリシーに対する応答メッセージを前記ネットワーク装置に送信するかを決定することとを更に含む。
【００３８】
本発明の実施例が提供するＵＥポリシー更新方法は、
ネットワーク装置が、端末に第１ＵＥポリシー及び／又は第１指示情報を送信し、それによって、前記端末に、前記第１ＵＥポリシー及び／又は前記第１指示情報に基づいて、アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行させることを含む。
【００３９】
本発明の実施例において、前記端末のＵＥポリシーの更新が発生した場合、前記ネットワーク装置は、前記端末に第１ＵＥポリシー及び／又は第１指示情報を送信し、ここで、前記第１ＵＥポリシーは、更新しようとするＵＥポリシーである。
【００４０】
本発明の実施例において、前記端末にハンドオーバーが発生した場合、前記端末のＵＥポリシーの更新が発生したことである。
【００４１】
本発明の実施例において、前記第１指示情報は、第１指示パラメータを含み、前記第１指示パラメータは、アイドル状態に入った後に、前記第１ＵＥポリシーに基づいて、前記アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行するように、前記端末に指示するためのものである。
【００４２】
本発明の実施例において、前記第１指示情報は、第２指示パラメータを含み、前記第２指示パラメータは、前記第１指示情報を受信した後に、直ちに前記第１ＵＥポリシーに基づいて、前記アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行するように、前記端末に指示するためのものである。
【００４３】
本発明の実施例において、前記第１指示情報は、第３指示パラメータを含み、前記第３指示パラメータは、前記第１指示情報を受信した後に、第１時間長内で前記第１ＵＥポリシーに基づいて、前記アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行するように、前記端末に指示するためのものである。
【００４４】
本発明の実施例において、前記第１指示情報は、第４指示パラメータを含み、前記第４指示パラメータは、前記第１ＵＥポリシーに基づいて、ＵＲＳＰ  ＲｕｌｅにおけるＴｒａｆｆｉｃ  Ｄｅｓｃｒｉｐｔｏｒにより、現在用いられているＰＤＵセッションが非アクティブ状態にあると判定した場合、前記Ｔｒａｆｆｉｃ  Ｄｅｓｃｒｉｐｔｏｒに対応するアプリケーションデータストリームとＰＤＵセッションとの関連の更新操作を実行するように、前記端末に指示するためのものであり、前記ＰＤＵセッションが非アクティブ状態にあることは、前記ＰＤＵセッションが何らのデータも伝送していないこと及び／又はエアインタフェースリソースがリリースされていることである。
【００４５】
本発明の実施例において、前記第１指示情報は、第５指示パラメータを含み、前記第５指示パラメータは、前記第１ＵＥポリシーに基づいて、ＵＲＳＰ  Ｒｕｌｅにおける第１アプリケーションデータストリームの状態を判定し、前記第１アプリケーションデータストリームの状態に基づいて、前記第１アプリケーションデータストリームとＰＤＵセッションとの関連の更新操作及び／又はネットワークスライス情報の更新操作及び／又はＰＤＵセッションの更新操作を実行するように、前記端末に指示するためのものである。
【００４６】
本発明の実施例において、前記第１アプリケーションデータストリームの状態に基づいて、前記第１アプリケーションデータストリームとＰＤＵセッションとの関連の更新操作及び／又はネットワークスライス情報の更新操作及び／又はＰＤＵセッションの更新操作を実行することは、
前記第１アプリケーションデータストリームの状態が非アクティブ状態である場合、前記第１アプリケーションデータストリームとＰＤＵセッションとの関連の更新操作及び／又はネットワークスライス情報の更新操作及び／又はＰＤＵセッションの更新操作を実行し、前記第１アプリケーションデータストリームの状態が非アクティブ状態であることは、前記第１アプリケーションデータストリームに現在又は所定の期間内で何らのデータパケットも存在しないか又はハートビートパケットのみが存在することであることを含む。
【００４７】
本発明の実施例において、前記第１アプリケーションデータストリームの状態に基づいて、前記第１アプリケーションデータストリームとＰＤＵセッションとの関連の更新操作及び／又はネットワークスライス情報の更新操作及び／又はＰＤＵセッションの更新操作を実行することは、
前記第１アプリケーションデータストリームの状態が、前記第１アプリケーションデータストリームのレートが第１閾値以下であることを示す場合、前記第１アプリケーションデータストリームとＰＤＵセッションとの関連の更新操作及び／又はネットワークスライス情報の更新操作及び／又はＰＤＵセッションの更新操作を実行することを含む。
【００４８】
本発明の実施例において、異なる指示パラメータが、異なる優先度情報に対応し、前記第１指示情報が少なくとも２つの指示パラメータを含む場合、優先度が高い指示パラメータに対応する実行条件を満たすか又は第２時間長内で満たすかを判定し、満たす場合、前記優先度の高い指示パラメータに基づいて、アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行し、満たさない場合、優先度が次に高い指示パラメータの実行条件を満たすか又は第２時間長内で満たすかを判定し、満たす場合、前記優先度が次に高い指示パラメータに基づいて、アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行する。
【００４９】
本発明の実施例において、前記方法は、
前記ネットワーク装置が現在ＰＤＵセッションに対応するＵＲＳＰルール及び／又はＷＬＡＮＳＰルールを記憶することと、
前記ＵＲＳＰルール及び／又はＷＬＡＮＳＰルールを更新する必要がある場合、更新しようとするＵＲＳＰルール及び／又はＷＬＡＮＳＰルールで記述されたデータストリームのデータがＰＤＵセッションで伝送を実行している場合、更新をトリガしないか又は更新のトリガを見合わせ、更新を必要とする他のＵＲＳＰルール又はＷＬＡＮＳＰルールに対して更新をトリガすることとを更に含む。
【００５０】
本発明の実施例において、前記方法は、
前記ＰＣＦがＵＲＳＰルール又はＷＬＡＮＳＰルールに基づいて、アプリケーション検出イベントをＳＭＦ／ＵＰＦに配信して、前記ＳＭＦ／ＵＰＦに特定のアプリケーションに対する検出を行わせることと、
ＵＲＳＰルール又はＷＬＡＮＳＰルールを更新する必要がある場合、ＰＣＦが、ＳＭＦ／ＵＰＦからの特定のアプリケーションの検出報告を受信したかを確認し、受信していない場合、ＰＣＦがＵＲＳＰルール又はＷＬＡＮＳＰルールの更新を配信し、受信した場合、ＵＲＳＰルール又はＷＬＡＮＳＰルールの更新の配信を見合わせ、ＳＭＦ／ＵＰＦが該アプリケーションデータストリームの停止を報告してから、又は所定の期間を経過してから、ＰＣＦがＵＲＳＰルール又はＷＬＡＮＳＰルールの更新を配信することとを含む。前記ＰＣＦは、サードパーティアプリケーションサーバの通知メッセージによって、特定のアプリケーションの状態を取得することで、ＵＲＳＰルール又はＷＬＡＮＳＰルールを更新するかを決定することもできる。
【００５１】
本発明の実施例において、前記第１指示情報に含まれる指示パラメータは、異なるＰＳＩ識別子によって異なるか、又は、
前記第１指示情報に含まれる指示パラメータは、異なるＵＲＳＰ  Ｒｕｌｅによって異なるか、又は
前記第１指示情報に含まれる指示パラメータは、異なるＡＮＤＳＰ  Ｒｕｌｅによって異なるか、又は
前記第１指示情報に含まれる指示パラメータは、異なるＲＳＤによって異なる。
【００５２】
本発明の実施例において、前記方法は、
前記ネットワーク装置が前記端末に第２指示情報を送信し、それによって、前記端末に、前記第２指示情報に基づいて前記第１ＵＥポリシーに対する応答メッセージを前記ネットワーク装置に送信するかを決定させることを更に含む。
【００５３】
本発明の実施例が提供するＵＥポリシー更新装置は、
ネットワーク装置からの第１ＵＥポリシー及び／又は第１指示情報を受信するように構成される第１受信ユニットと、
前記第１ＵＥポリシー及び／又は前記第１指示情報に基づいて、アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行するように構成される更新ユニットとを備える。
【００５４】
本発明の実施例において、前記端末のＵＥポリシーの更新が発生した場合、前記第１受信ユニットは、前記ネットワーク装置からの第１ＵＥポリシー及び／又は第１指示情報を受信し、ここで、前記第１ＵＥポリシーは、更新しようとするＵＥポリシーである。
【００５５】
本発明の実施例において、前記端末にハンドオーバーが発生した場合、前記端末のＵＥポリシーの更新が発生したことである。
【００５６】
本発明の実施例において、前記端末がデータトラヒックを実行している場合、前記更新ユニットは、前記第１ＵＥポリシー及び／又は前記第１指示情報に基づいて、アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行する。
【００５７】
本発明の実施例において、前記第１指示情報は、第１指示パラメータを含み、前記第１指示パラメータは、アイドル状態に入った後に、前記第１ＵＥポリシーに基づいて、前記アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行するように、前記端末に指示するためのものである。
【００５８】
本発明の実施例において、前記第１指示情報は、第２指示パラメータを含み、前記第２指示パラメータは、前記第１指示情報を受信した後に、直ちに前記第１ＵＥポリシーに基づいて、前記アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行するように、前記端末に指示するためのものである。
【００５９】
本発明の実施例において、前記第１指示情報は、第３指示パラメータを含み、前記第３指示パラメータは、前記第１指示情報を受信した後に、第１時間長内で前記第１ＵＥポリシーに基づいて、前記アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行するように、前記端末に指示するためのものである。
【００６０】
本発明の実施例において、前記更新ユニットは、
前記端末が前記第１時間長内でアイドル状態に入るとした場合、前記第１ＵＥポリシーに基づいて、前記アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行し、
前記端末が前記第１時間長内で接続状態にある場合、前記第１ＵＥポリシーに基づいて、前記アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行するように構成される。
【００６１】
本発明の実施例において、前記装置は、
前記端末が前記第１時間長内で接続状態にあり、且つデータの伝送を実行している場合、前記データの伝送を中止し、前記接続状態から前記アイドル状態に戻るように構成される状態制御ユニットを更に備える。
【００６２】
本発明の実施例において、前記装置は、
前記端末が前記第１時間長内で接続状態にある場合、前記ネットワーク装置の制御で、ＲＲＣ接続又はＮＡＳ接続をリリースして前記接続状態から前記アイドル状態に戻るように構成される状態制御ユニットを更に備える。
【００６３】
本発明の実施例において、前記アプリケーションデータストリームとＰＤＵセッションとの関連の更新操作を実行することは、元のアプリケーションデータストリームを、更新ルールに合致するＰＤＵセッションにバインディングし、前記更新ルールが前記第１ＵＥポリシーにおけるルールであることを含む。
【００６４】
本発明の実施例において、前記第１指示情報は、第４指示パラメータを含み、前記第４指示パラメータは、前記第１ＵＥポリシーに基づいて、ＵＲＳＰ  ＲｕｌｅにおけるＴｒａｆｆｉｃ  Ｄｅｓｃｒｉｐｔｏｒにより、現在用いられているＰＤＵセッションが非アクティブ状態にあると判定した場合、前記Ｔｒａｆｆｉｃ  Ｄｅｓｃｒｉｐｔｏｒに対応するアプリケーションデータストリームとＰＤＵセッションとの関連の更新操作を実行するように、前記端末に指示するためのものであり、前記ＰＤＵセッションが非アクティブ状態にあることは、前記ＰＤＵセッションが何らのデータも伝送していないこと及び／又はエアインタフェースリソースがリリースされていることである。
【００６５】
本発明の実施例において、前記Ｔｒａｆｆｉｃ  Ｄｅｓｃｒｉｐｔｏｒに対応するアプリケーションデータストリームとＰＤＵセッションとの関連の更新操作を実行することは、新しいＰＤＵセッションを確立するか又は既存のＰＤＵセッションに対して変更を開始し、前記Ｔｒａｆｆｉｃ  Ｄｅｓｃｒｉｐｔｏｒに対応するアプリケーションデータストリームを新しいＰＤＵセッション又は変更後のＰＤＵセッションにバインディングすることを含む。
【００６６】
本発明の実施例において、前記第１指示情報は、第５指示パラメータを含み、前記第５指示パラメータは、前記第１ＵＥポリシーに基づいて、ＵＲＳＰ  Ｒｕｌｅにおける第１アプリケーションデータストリームの状態を判定し、前記第１アプリケーションデータストリームの状態に基づいて、前記第１アプリケーションデータストリームとＰＤＵセッションとの関連の更新操作及び／又はネットワークスライス情報の更新操作及び／又はＰＤＵセッションの更新操作を実行するように、前記端末に指示するためのものである。
【００６７】
本発明の実施例において、前記第１アプリケーションデータストリームの状態に基づいて、前記第１アプリケーションデータストリームとＰＤＵセッションとの関連の更新操作及び／又はネットワークスライス情報の更新操作及び／又はＰＤＵセッションの更新操作を実行することは、
前記第１アプリケーションデータストリームの状態が非アクティブ状態である場合、前記第１アプリケーションデータストリームとＰＤＵセッションとの関連の更新操作及び／又はネットワークスライス情報の更新操作及び／又はＰＤＵセッションの更新操作を実行し、前記第１アプリケーションデータストリームの状態が非アクティブ状態であることは、前記第１アプリケーションデータストリームに現在又は所定の期間内で何らのデータパケットも存在しないか又はハートビートパケットのみが存在することであることを含む。
【００６８】
本発明の実施例において、前記第１アプリケーションデータストリームの状態に基づいて、前記第１アプリケーションデータストリームとＰＤＵセッションとの関連の更新操作及び／又はネットワークスライス情報の更新操作及び／又はＰＤＵセッションの更新操作を実行することは、
前記第１アプリケーションデータストリームの状態が、前記第１アプリケーションデータストリームのレートが第１閾値以下であることを示す場合、前記第１アプリケーションデータストリームとＰＤＵセッションとの関連の更新操作及び／又はネットワークスライス情報の更新操作及び／又はＰＤＵセッションの更新操作を実行することを含む。
【００６９】
本発明の実施例において、異なる指示パラメータが、異なる優先度情報に対応し、前記第１指示情報が少なくとも２つの指示パラメータを含む場合、優先度が高い指示パラメータに対応する実行条件を満たすか又は第２時間長内で満たすかを判定し、満たす場合、前記優先度の高い指示パラメータに基づいて、アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行し、満たさない場合、優先度が次に高い指示パラメータの実行条件を満たすか又は第２時間長内で満たすかを判定し、満たす場合、前記優先度が次に高い指示パラメータに基づいて、アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行する。
【００７０】
本発明の実施例において、前記更新ユニットは、前記第１ＵＥポリシーに基づいて、前記アプリケーションデータストリームの現在の第１ＰＤＵセッションを、ターゲット条件に合致する第２ＰＤＵセッションに変更し、前記アプリケーションデータストリームを前記第２ＰＤＵセッションで搬送すること、及び／又は、前記第１ＵＥポリシーに基づいて、前記端末の現在の第１ＷＬＡＮ接続を、ターゲット条件に合致する第２ＷＬＡＮ接続に変更し、前記第１ＷＬＡＮ接続のデータストリームを前記第２ＷＬＡＮ接続で搬送することに用いられる。
【００７１】
本発明の実施例において、前記更新ユニットは、前記第１ＵＥポリシーに基づいて、前記アプリケーションデータストリームのために、ターゲット条件に合致する第２ＰＤＵセッションを確立し、前記アプリケーションデータストリームを前記第２ＰＤＵで搬送すること、及び／又は、前記第１ＵＥポリシーに基づいて、前記端末のために、ターゲット条件に合致する第２ＷＬＡＮ接続を確立し、第１ＷＬＡＮ接続のデータストリームを前記第２ＷＬＡＮ接続で搬送することに用いられる。
【００７２】
本発明の実施例において、前記更新ユニットは更に、前記アプリケーションデータストリームを前記第２ＰＤＵで搬送してから、前記アプリケーションデータストリームの元の第１ＰＤＵセッションを削除すること、及び／又は、前記第１ＷＬＡＮ接続のデータストリームを前記第２ＷＬＡＮ接続で搬送してから、前記第１ＷＬＡＮ接続を削除することに用いられる。
【００７３】
本発明の実施例において、前記更新ユニットは更に、前記第１受信ユニットが前記第１指示情報を受信していない場合、前記端末が第１情報に基づいてターゲット指示パラメータを決定し、前記ターゲット指示パラメータに対応する更新操作を実行することに用いられ、ここで、前記ターゲット指示パラメータは、前記第１指示情報における第１指示パラメータ、前記第１指示情報における第２指示パラメータ、前記第１指示情報における第３指示パラメータ、前記第１指示情報における第４指示パラメータ、前記第１指示情報における第５指示パラメータのうちの１つである。
【００７４】
本発明の実施例において、前記第１受信ユニットが受信したＰＳＩ、ＲＳＤ又はＵＲＳＰ又は前記第１ＵＥポリシーにターゲット指示パラメータが含まれる場合、前記ターゲット指示パラメータに対応する更新操作を実行し、
前記第１受信ユニットが受信したＰＳＩ、ＲＳＤ又はＵＲＳＰ又は前記第１ＵＥポリシーにターゲット指示パラメータが含まれない場合、デフォルト指示パラメータに対応する更新操作を実行し、
ここで、前記デフォルト指示パラメータは、第１指示パラメータ、第２指示パラメータ、第３指示パラメータ、第４指示パラメータ、第５指示パラメータのうちの１つである。
【００７５】
本発明の実施例において、前記第１ＵＥポリシーは、複数の部分に分割され、異なる部分は、異なる番号値に対応し、異なる番号値の範囲は、異なる指示パラメータに対応し、前記端末に、番号値の範囲と指示パラメータとの対応関係が記憶されており、
前記第１受信ユニットは、前記第１ＵＥポリシーにおける第１ルールを受信してから、前記第１ルールの番号値及び記憶している前記番号値の範囲と指示パラメータとの対応関係に基づいて、前記第１ルールに対応する指示パラメータを決定し、対応する更新操作を実行する。
【００７６】
本発明の実施例において、前記第１受信ユニットは、前記第１ＵＥポリシーを受信してから、前記第１ＵＥポリシーに基づいて、現在記憶されているＵＥポリシーを更新し、肯定応答メッセージを前記ネットワーク装置に送信する。
【００７７】
本発明の実施例において、現在ＵＥに新しいルール識別子が存在しない場合、前記ルール識別子及び対応する内容を追加し、現在、ＵＥに記憶されているルール識別子が新しいルール識別子と重複し、且つ前記新しいルールに具体的な内容が含まれる場合、前記記憶されているルール識別子及び内容を置き換え、現在ＵＥに記憶されているルール識別子が新しいルール識別子と重複し、且つ前記新しいルールにルール識別子のみが含まれる場合、前記記憶されているルール識別子及び内容を削除する。
【００７８】
本発明の実施例において、前記第１ＵＥポリシー更新過程において、置き換えられるＵＥポリシーについて、前記置き換えられるＵＥポリシーに対応する指示パラメータに基づいて更新操作を実行するか、又は新しく配信されたＵＥポリシーに対応する指示パラメータに基づいて更新操作を実行し、前記置き換えられるＵＥポリシーは、ローカルに記憶され、前記第１ＵＥポリシーの更新によって削除されるＵＥポリシーを指す。
【００７９】
本発明の実施例において、前記第１ＵＥポリシー更新過程において、置き換えられるＵＥポリシーは、元のＵＥポリシーから新しいＵＥポリシーに変更され、元のＵＥポリシーのＴｒａｆｆｉｃ  Ｄｅｓｃｒｉｐｔｏｒが、第１範囲に対応し、新しいＵＥポリシーのＴｒａｆｆｉｃ  Ｄｅｓｃｒｉｐｔｏｒが、第２範囲に対応する場合、前記第１範囲と前記第２範囲との重複範囲に対応するアプリケーションデータストリームに対して、前記新しいＵＥポリシー又は元のＵＥポリシーに基づいて更新操作を実行する。
【００８０】
本発明の実施例において、前記端末は、第１ルールにおける第１ＲＳＤ及び／又は第１ＷＬＡＮＳＰルールを利用してアプリケーションデータストリームをバインディングする。前記端末がその後に、指定条件を満たす第２ＵＲＳＰルール及び／又は第１ＵＲＳＰルールにおける第２ＲＳＤ及び／又は第２ＷＬＡＮＳＰルールが利用可能であると判定した場合、前記端末は、前記第１指示情報における指示パラメータに基づいて、指定条件を満たす前記第２ＵＲＳＰルール及び／又は第１ＵＲＳＰルールにおける第２ＲＳＤ及び／又は第２ＷＬＡＮＳＰルールに対応するＴｒａｆｆｉｃ  Ｄｅｓｃｒｉｐｔｏｒで記述されたアプリケーションデータストリームを、指定条件を満たす前記第２ＵＲＳＰルール及び／又は第１ＵＲＳＰルールにおける第２ＲＳＤ及び／又は第２ＷＬＡＮＳＰにバインディングするという操作の実行タイミングを決定する。
【００８１】
本発明の実施例において、サブスクリプション情報又はポリシー情報に指示パラメータを追加し、前記指示パラメータは、前記端末が更新のＵＲＳＰルール及び／又はＷＬＡＮＳＰルールを受信した後の挙動を示すためのものであり、前記挙動は、関連更新を直ちに行うこと、ＰＤＵセッションがアクティブ状態でない時に、関連更新を行うこと、又は、所定の期間内で関連更新を行うことである。
【００８２】
本発明の実施例において、更新のＵＲＳＰルール及び／又はＷＬＡＮＳＰルールを受信した場合、影響されるトラヒックデータストリームが現在１つのＰＤＵセッションでデータ伝送を行っているかを判定する。そうであれば、前記ＰＤＵセッションに対応する指示パラメータを決定し、前記指示パラメータに基づいて、関連更新の実行タイミングを決定する。
【００８３】
本発明の実施例において、前記アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行することは、
前記アプリケーションデータストリームが伝送している場合、前記アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行しないことと、
前記アプリケーションデータストリームの伝送が完了した後に、次回の伝送を始める時に、前記アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行することとを含む。
【００８４】
本発明の実施例において、前記第１指示情報に含まれる指示パラメータは、異なるＰＳＩ識別子によって異なるか、又は、
前記第１指示情報に含まれる指示パラメータは、異なるＵＲＳＰ  Ｒｕｌｅによって異なるか、又は
前記第１指示情報に含まれる指示パラメータは、異なるＡＮＤＳＰ  Ｒｕｌｅによって異なるか、又は
前記第１指示情報に含まれる指示パラメータは、異なるＲＳＤによって異なる。
【００８５】
本発明の実施例において、前記装置は、
前記ネットワーク装置からの第２指示情報を受信するように構成される第２受信ユニットと、
前記第２指示情報に基づいて、前記第１ＵＥポリシーに対する応答メッセージを前記ネットワーク装置に送信するかを決定するように構成される応答ユニットとを更に備える。
【００８６】
本発明の実施例が提供するＵＥポリシー更新装置は、
端末に第１ＵＥポリシー及び／又は第１指示情報を送信し、それによって、前記端末に、前記第１ＵＥポリシー及び／又は前記第１指示情報に基づいて、アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行させるように構成される第１送信ユニットを備える。
【００８７】
本発明の実施例において、前記端末のＵＥポリシーの更新が発生した場合、前記第１送信ユニットは、前記端末に第１ＵＥポリシー及び／又は第１指示情報を送信し、ここで、前記第１ＵＥポリシーは、更新しようとするＵＥポリシーである。
【００８８】
本発明の実施例において、前記端末にハンドオーバーが発生した場合、前記端末のＵＥポリシーの更新が発生したことである。
【００８９】
本発明の実施例において、前記第１指示情報は、第１指示パラメータを含み、前記第１指示パラメータは、アイドル状態に入った後に、前記第１ＵＥポリシーに基づいて、前記アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行するように、前記端末に指示するためのものである。
【００９０】
本発明の実施例において、前記第１指示情報は、第２指示パラメータを含み、前記第２指示パラメータは、前記第１指示情報を受信した後に、直ちに前記第１ＵＥポリシーに基づいて、前記アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行するように、前記端末に指示するためのものである。
【００９１】
本発明の実施例において、前記第１指示情報は、第３指示パラメータを含み、前記第３指示パラメータは、前記第１指示情報を受信した後に、第１時間長内で前記第１ＵＥポリシーに基づいて、前記アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行するように、前記端末に指示するためのものである。
【００９２】
本発明の実施例において、前記第１指示情報は、第４指示パラメータを含み、前記第４指示パラメータは、前記第１ＵＥポリシーに基づいて、ＵＲＳＰ  ＲｕｌｅにおけるＴｒａｆｆｉｃ  Ｄｅｓｃｒｉｐｔｏｒにより、現在用いられているＰＤＵセッションが非アクティブ状態にあると判定した場合、前記Ｔｒａｆｆｉｃ  Ｄｅｓｃｒｉｐｔｏｒに対応するアプリケーションデータストリームとＰＤＵセッションとの関連の更新操作を実行するように、前記端末に指示するためのものであり、前記ＰＤＵセッションが非アクティブ状態にあることは、前記ＰＤＵセッションが何らのデータも伝送していないこと及び／又はエアインタフェースリソースがリリースされていることである。
【００９３】
本発明の実施例において、前記第１指示情報は、第５指示パラメータを含み、前記第５指示パラメータは、前記第１ＵＥポリシーに基づいて、ＵＲＳＰ  Ｒｕｌｅにおける第１アプリケーションデータストリームの状態を判定し、前記第１アプリケーションデータストリームの状態に基づいて、前記第１アプリケーションデータストリームとＰＤＵセッションとの関連の更新操作及び／又はネットワークスライス情報の更新操作及び／又はＰＤＵセッションの更新操作を実行するように、前記端末に指示するためのものである。
【００９４】
本発明の実施例において、前記第１アプリケーションデータストリームの状態に基づいて、前記第１アプリケーションデータストリームとＰＤＵセッションとの関連の更新操作及び／又はネットワークスライス情報の更新操作及び／又はＰＤＵセッションの更新操作を実行することは、
前記第１アプリケーションデータストリームの状態が非アクティブ状態である場合、前記第１アプリケーションデータストリームとＰＤＵセッションとの関連の更新操作及び／又はネットワークスライス情報の更新操作及び／又はＰＤＵセッションの更新操作を実行し、前記第１アプリケーションデータストリームの状態が非アクティブ状態であることは、前記第１アプリケーションデータストリームに現在又は所定の期間内で何らのデータパケットも存在しないか又はハートビートパケットのみが存在することであることを含む。
【００９５】
本発明の実施例において、前記第１アプリケーションデータストリームの状態に基づいて、前記第１アプリケーションデータストリームとＰＤＵセッションとの関連の更新操作及び／又はネットワークスライス情報の更新操作及び／又はＰＤＵセッションの更新操作を実行することは、
前記第１アプリケーションデータストリームの状態が、前記第１アプリケーションデータストリームのレートが第１閾値以下であることを示す場合、前記第１アプリケーションデータストリームとＰＤＵセッションとの関連の更新操作及び／又はネットワークスライス情報の更新操作及び／又はＰＤＵセッションの更新操作を実行することを含む。
【００９６】
本発明の実施例において、異なる指示パラメータが、異なる優先度情報に対応し、前記第１指示情報が少なくとも２つの指示パラメータを含む場合、優先度が高い指示パラメータに対応する実行条件を満たすか又は第２時間長内で満たすかを判定し、満たす場合、前記優先度の高い指示パラメータに基づいて、アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行し、満たさない場合、優先度が次に高い指示パラメータの実行条件を満たすか又は第２時間長内で満たすかを判定し、満たす場合、前記優先度が次に高い指示パラメータに基づいて、アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行する。
【００９７】
本発明の実施例において、前記ネットワーク装置は、現在ＰＤＵセッションに対応するＵＲＳＰルール及び／又はＷＬＡＮＳＰルールを記憶し、前記ＵＲＳＰルール及び／又はＷＬＡＮＳＰルールを更新する必要がある場合、更新しようとするＵＲＳＰルール及び／又はＷＬＡＮＳＰルールで記述されたデータストリームのデータがＰＤＵセッションで伝送を実行している場合、更新をトリガしないか又は更新のトリガを見合わせ、更新を必要とする他のＵＲＳＰルール又はＷＬＡＮＳＰルールに対して更新をトリガする。
【００９８】
本発明の実施例において、前記ＰＣＦは、ＵＲＳＰルール又はＷＬＡＮＳＰルールに基づいて、アプリケーション検出イベントをＳＭＦ／ＵＰＦに配信して、前記ＳＭＦ／ＵＰＦに特定のアプリケーションに対する検出を行わせる。ＵＲＳＰルール又はＷＬＡＮＳＰルールを更新する必要がある場合、ＰＣＦは、ＳＭＦ／ＵＰＦからの特定のアプリケーションの検出報告を受信したかを確認し、受信していない場合、ＰＣＦは、ＵＲＳＰルール又はＷＬＡＮＳＰルールの更新を配信し、受信した場合、ＵＲＳＰルール又はＷＬＡＮＳＰルールの更新の配信を見合わせ、ＳＭＦ／ＵＰＦが該アプリケーションデータストリームの停止を報告してから、又は所定の期間を経過してから、ＰＣＦは、ＵＲＳＰルール又はＷＬＡＮＳＰルールの更新を配信する。前記ＰＣＦは、サードパーティアプリケーションサーバの通知メッセージによって、特定のアプリケーションの状態を取得することで、ＵＲＳＰルール又はＷＬＡＮＳＰルールを更新するかを決定する。
【００９９】
本発明の実施例において、前記第１指示情報に含まれる指示パラメータは、異なるＰＳＩによって異なるか、又は、
前記第１指示情報に含まれる指示パラメータは、異なるＵＲＳＰ  Ｒｕｌｅによって異なるか、又は
前記第１指示情報に含まれる指示パラメータは、異なるＡＮＤＳＰ  Ｒｕｌｅによって異なるか、又は
前記第１指示情報に含まれる指示パラメータは、異なるＲＳＤによって異なる。
【０１００】
本発明の実施例において、前記装置は、
前記端末に第２指示情報を送信し、それによって、前記端末に、前記第２指示情報に基づいて前記第１ＵＥポリシーに対する応答メッセージを前記ネットワーク装置に送信するかを決定させるように構成される第２送信ユニットを更に備える。
【０１０１】
本発明の実施例が提供するコンピュータ記憶媒体には、コンピュータによる実行可能な命令が記憶されており、該コンピュータによる実行可能な命令がプロセッサにより実行される時、上記ＵＥポリシー更新方法を実現させる。
【発明の効果】
【０１０２】
本発明の実施例の技術的解決手段において、端末がネットワーク装置からの第１ＵＥポリシー及び／又は第１指示情報を受信し、前記端末が、前記第１ＵＥポリシー及び／又は前記第１指示情報に基づいて、アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行する。本発明の実施例の技術的解決手段を利用すると、第１指示情報により、アプリケーションデータストリームとＰＤＵセッションとの関連の更新操作及び／又はＷＬＡＮアクセス選択の更新操作のタイミングを決定する。すなわち、端末は、第１ＵＥポリシーに基づいて関連する更新操作を明らかに実行することができるため、トラヒックの連続性を確保する。
【図面の簡単な説明】
【０１０３】
【図１】ＵＥポリシーのアーキテクチャを示す図である。
【図２】ＵＲＳＰによるＰＤＵ  Ｓｅｓｓｉｏｎの確立を示するフローチャートである。
【図３】本発明の実施例によるＵＥポリシー更新方法を示す第１フローチャートである。
【図４】本発明の実施例による第１ＵＥポリシー及び第１指示情報の伝送を示すフローチャートである。
【図５】本発明の実施例によるＵＥポリシー更新方法を示す第２フローチャートである。
【図６】本発明の実施例によるＵＥポリシー更新装置の構造を示す第１概略図である。
【図７】本発明の実施例によるＵＥポリシー更新装置の構造を示す第２概略図である。
【図８】本発明の実施例によるコンピュータ装置の構造を示す概略図である。
【図９】本発明の実施例によるネットワークにおけるＮＳＳＡＩの伝達を示す概略図である。
【図１０】本発明の実施例による端末のネットワークへの登録を示すフローチャートである。
【図１１】本発明の実施例によるＰＤＵセッションの確立を示すフローチャートである。
【図１２】本発明の実施例によるネットワークスライス情報の更新を示すフローチャートである。
【図１３】本発明の実施例によるバインディングポリシーパラメータの伝達を示す概略図である。
【０１０４】
ここの図面は、本発明の一層の理解のために含めたものであり、本明細書に導入されてその一部となる。本発明の概略的な実施例及びその説明は、本発明の解説に用いるものであるが、本発明を不当に限定するものではない。
【発明を実施するための形態】
【０１０５】
本発明の実施例の技術的解決手段を理解しやすくするために、以下、本発明の実施例に関わる技術を説明する。
【０１０６】
１）ＵＥポリシー
図１に示すように、一態様において、ＵＥポリシーは、静的ポリシー及び動的ポリシーを含む。もう１つの態様において、ＵＥポリシーは、ＷＬＡＮＳＰ及びＵＲＳＰを含む。ただし、ＲＳＤにおけるＮＳＳＰ、ＤＮＮは、１つ又は複数の値を取ることができる。以下、コードを利用してＷＬＡＮＳＰ及びＵＲＳＰをそれぞれ例示する。
【０１０７】
ＷＬＡＮＳＰの例
-  WLANSP rule 1:
-   Priority 1
-   Validity Conditions (PLMN 1)
-    Group of Selection Criteria with priority 1:
- PreferredSSIDList = Priority 1: myoperator1, Priority 2: myoperator2
- MinimumBackhaulThreshold = 2Mbps in the downlink
-   Group of Selection Criteria with priority 2
- PreferredSSIDList = Priority 1: myoperator3
-  WLANSP rule 2:
-   Priority 2
-   Validity Conditions (PLMN 1)
-   Group of Selection Criteria with priority 1:
- PreferredRoamingPartnerList = Priority 1: partner1.com, Priority 2: partner2.com
- MaximumBSSLoad = 60
ＵＲＳＰポリシーの例
URSP rule 1:
Priority:1
Traffic filter: App=DummyApp
Direct offload: Prohibited
Slice Info: S-NSSAI-a
Continuity Types: SSC Mode 3
DNNs: internet
Access Type: 3GPP access
URSP rule 2:
Priority:2
Traffic filter: App=App1, App2
Direct offload: Permitted
Slice Info: S-NSSAI-a
Access Type: Non-3GPP access
下記表１及び表２に示すように、ＵＲＳＰに関する内容が定められている。ここで、表１は、ＵＲＳＰ  Ｒｕｌｅを示し、表２は、ＲＳＤを示す。
【表１】
2021528874.tif 000003
【表２】
2021528874.tif 000004
【０１０８】
現在、ＵＲＳＰの一部が定められており、該ポリシーは、他のポリシーと共に、関連するアプリケーションのために、特定のＰＤＵ  Ｓｅｓｓｉｏｎを確立してバインディングする。
【０１０９】
ＵＲＳＰを利用してＰＤＵ  Ｓｅｓｓｉｏｎを確立するプロセスは、図２を参照されたい。ここで、ＵＥは、ユーザ装置であり、ＲＡＮは、無線アクセスネットワーク（Ｒａｄｉｏ  Ａｃｃｅｓｓ  Ｎｅｔｗｏｒｋ）であり、ＡＭＦは、コアアクセス・モビリティ管理機能（Ｃｏｒｅ  Ａｃｃｅｓｓ  ａｎｄ  Ｍｏｂｉｌｉｔｙ  Ｍａｎａｇｅｍｅｎｔ  Ｆｕｎｃｔｉｏｎ）であり、ＵＰＦは、ユーザープレーン機能（Ｕｓｅｒ  Ｐｌａｎｅ  Ｆｕｎｃｔｉｏｎ）であり、ＳＭＦは、セッション管理機能（Ｓｅｓｓｉｏｎ  Ｍａｎａｇｅｍｅｎｔ  Ｆｕｎｃｔｉｏｎ）であり、ＰＣＦは、ポリシー制御機能（Ｐｏｌｉｃｙ  Ｃｏｎｔｒｏｌ  ｆｕｎｃｔｉｏｎ）であり、ＵＤＭは、統合されたデータ管理（Ｕｎｉｆｉｅｄ  Ｄａｔａ  Ｍａｎａｇｅｍｅｎｔ）であり、ＤＮは、データネットワーク（Ｄａｔａ  Ｎｅｔｗｏｒｋ）である。ステップ１において、ＵＥは、単一ネットワークスライス選択補助情報（Ｓ−ＮＳＳＡＩ：Ｓｉｎｇｌｅ  Ｎｅｔｗｏｒｋ  Ｓｌｉｃｅ  Ｓｅｌｅｃｔｉｏｎ  Ａｓｓｉｓｔａｎｃｅ  Ｉｎｆｏｒｍａｔｉｏｎ）、ＤＮＮ、アクセスタイプ（Ａｃｃｅｓｓ  Ｔｙｐｅ）、ＰＤＵセッション識別子（ＰＤＵ  Ｓｅｓｓｉｏｎ  ＩＤ）等をネットワーク側に報告する。ネットワークは、該ＵＥのために、必要とするＰＤＵ  Ｓｅｓｓｉｏｎを確立する。１つのＰＤＵ  Ｓｅｓｓｉｏｎの確立を完了するたびに、ネットワーク側は、マッピングされた進化型パケットシステム（ＥＰＳ，Ｅｖｏｌｖｅｄ  Ｐａｃｋｅｔ  Ｓｙｓｔｅ）サービス品質（ＱｏＳ，Ｑｕａｌｉｔｙ  ｏｆ  Ｓｅｒｖｉｃｅ）情報（ＥＰＳ  Ｂｅａｒｅｒ  ＩＤ、ｍａｐｐｅｄ  ＱｏＳパラメータ）をＵＥに知らせる。ＵＥが５Ｇから４Ｇへのハンドオーバーを必要とする場合、ネットワーク側は、ＵＥに配信されたＥＰＳ  ＱｏＳ情報に応じてマッピングを行う。ここで、一部の既存のＰＤＵ  Ｓｅｓｓｉｏｎ／Ｆｌｏｗは、デフォルトベアラに組み込まれることがあり、一部のＰＤＵ  Ｓｅｓｓｉｏｎ／Ｆｌｏｗは、専用ベアラにマッピングされる。
【０１１０】
図３は、本発明の実施例によるＵＥポリシー更新方法を示す第１フローチャートである。図３に示すように、前記ＵＥポリシー更新方法は、下記ステップを含む。
【０１１１】
ステップ３０１：端末がネットワーク装置からの第１ＵＥポリシー及び／又は第１指示情報を受信する。
【０１１２】
本発明の実施例において、前記端末は、携帯電話、タブレット、ノートパソコン、卓上コンピュータなどのような、ネットワーク装置と通信可能な如何なる装置であってもよい。
【０１１３】
本発明の実施例において、端末がネットワーク装置からの第１ＵＥポリシー及び／又は第１指示情報を受信することは、図４に示すプロセスにより実現することができる。具体的には、図４を参照されたい。
【０１１４】
１）ＰＣＦがＡＭＦに第１ＵＥポリシー及び第１指示情報を送信する。
【０１１５】
２）ＡＭＦは、ＲＡＮを経由してＵＥに第１ＵＥポリシー及び第１指示情報を透過的に伝送する。
【０１１６】
ここで、第１ＵＥポリシー及び第１指示情報は、非アクセス層（ＮＡＳ）メッセージで搬送される。第１ＵＥポリシー及び第１指示情報は、同一のＮＡＳメッセージで搬送されてもよく、異なるＮＡＳメッセージで搬送されてもよい。
【０１１７】
本発明の実施例において、前記端末のＵＥポリシーの更新が発生した場合、前記端末は、前記ネットワーク装置からの第１ＵＥポリシー及び／又は第１指示情報を受信し、ここで、前記第１ＵＥポリシーは、更新しようとするＵＥポリシーである。
【０１１８】
端末のＵＥポリシーは、下記２つのシナリオで更新される。
【０１１９】
１）端末にハンドオーバーが発生していない場合、ＵＥポリシーが更新された。
【０１２０】
２）端末にハンドオーバーが発生した場合、前記端末のＵＥポリシーの更新が発生したことである。例えば、端末が５Ｇシステムから４Ｇシステムにハンドオーバーする場合、端末のＵＥポリシーは、５Ｇシステムに対応するＵＥポリシーから４Ｇシステムに対応するＵＥポリシーに更新される必要がある。
【０１２１】
本発明の実施例において、前記端末がデータトラヒックを実行している場合、ＵＥポリシーが更新されたため（ここで、第１ＵＥポリシーに更新された）、前記端末は、前記第１ＵＥポリシー及び／又は前記第１指示情報に基づいて、アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行する必要がある。
【０１２２】
本発明の実施例において、前記第１メッセージは、１つの指示パラメータを含んでもよく、複数の指示パラメータを含んでもよい。各々の指示パラメータは、アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を如何に実行するかを端末に指示するためのものである。
【０１２３】
ステップ３０２：前記端末が前記第１ＵＥポリシー及び／又は前記第１指示情報に基づいて、アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行する。
【０１２４】
一実施形態において、前記第１指示情報は、第１指示パラメータを含み、前記第１指示パラメータは、アイドル状態に入った後に、前記第１ＵＥポリシーに基づいて、前記アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行するように、前記端末に指示するためのものである。
【０１２５】
一実施形態において、前記第１指示情報は、第２指示パラメータを含み、前記第２指示パラメータは、前記第１指示情報を受信した後に、直ちに前記第１ＵＥポリシーに基づいて、前記アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行するように、前記端末に指示するためのものである。
【０１２６】
一実施形態において、前記第１指示情報は、第３指示パラメータを含み、前記第３指示パラメータは、前記第１指示情報を受信した後に、第１時間長内で前記第１ＵＥポリシーに基づいて、前記アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行するように、前記端末に指示するためのものである。
【０１２７】
ここで、第１時間長内で前記第１ＵＥポリシーに基づいて前記アプリケーションデータストリームとＰＤＵセッションとの関連の更新操作及び／又はＷＬＡＮアクセス選択の更新操作を実行することは、
１）前記端末が前記第１時間長内でアイドル状態に入るとした場合、前記第１ＵＥポリシーに基づいて、前記アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行することと、
２）前記端末が前記第１時間長内で接続状態にある場合、前記第１ＵＥポリシーに基づいて、前記アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行することとを含む。
【０１２８】
更に、２．１）前記端末が前記第１時間長内で接続状態にあり、且つデータの伝送を実行している場合、前記端末が、前記データの伝送を中止し、前記接続状態から前記アイドル状態に戻る。２．２）前記端末が前記第１時間長内で接続状態にある場合、前記端末が、前記ネットワーク装置の制御で、無線リソース制御（ＲＲＣ接続）をリリースして前記接続状態から前記アイドル状態に戻る。
【０１２９】
一実施形態において、前記アプリケーションデータストリームとＰＤＵセッションとの関連の更新操作を実行することは、元のアプリケーションデータストリームを、更新ルールに合致するＰＤＵセッションにバインディングし、前記更新ルールが前記第１ＵＥポリシーにおけるルールであることを含む。
【０１３０】
一実施形態において、前記第１指示情報は、第４指示パラメータを含み、前記第４指示パラメータは、前記第１ＵＥポリシーに基づいて、ＵＲＳＰ  Ｒｕｌｅにおけるトラヒック記述子Ｔｒａｆｆｉｃ  Ｄｅｓｃｒｉｐｔｏｒにより、現在用いられているＰＤＵセッションが非アクティブ状態にあると判定した場合、前記Ｔｒａｆｆｉｃ  Ｄｅｓｃｒｉｐｔｏｒに対応するアプリケーションデータストリームとＰＤＵセッションとの関連の更新操作を実行するように、前記端末に指示するためのものであり、前記ＰＤＵセッションが非アクティブ状態にあることは、前記ＰＤＵセッションが何らのデータも伝送していないこと及び／又はエアインタフェースリソースがリリースされていることである。
【０１３１】
更に、前記Ｔｒａｆｆｉｃ  Ｄｅｓｃｒｉｐｔｏｒに対応するアプリケーションデータストリームとＰＤＵセッションとの関連の更新操作を実行することは、新しいＰＤＵセッションを確立するか又は既存のＰＤＵセッションに対して変更を開始し、前記Ｔｒａｆｆｉｃ  Ｄｅｓｃｒｉｐｔｏｒに対応するアプリケーションデータストリームを新しいＰＤＵセッション又は変更後のＰＤＵセッションにバインディングすることを含む。
【０１３２】
一実施形態において、前記第１指示情報は、第５指示パラメータを含み、前記第５指示パラメータは、前記第１ＵＥポリシーに基づいて、ＵＲＳＰ  Ｒｕｌｅにおける第１アプリケーションデータストリームの状態を判定し、前記第１アプリケーションデータストリームの状態に基づいて、前記第１アプリケーションデータストリームとＰＤＵセッションとの関連の更新操作及び／又はネットワークスライス情報の更新操作及び／又はＰＤＵセッションの更新操作を実行するように、前記端末に指示するためのものである。
【０１３３】
更に、前記第１アプリケーションデータストリームの状態に基づいて、前記第１アプリケーションデータストリームとＰＤＵセッションとの関連の更新操作及び／又はネットワークスライス情報の更新操作及び／又はＰＤＵセッションの更新操作を実行することは、
前記第１アプリケーションデータストリームの状態が非アクティブ状態である場合、前記第１アプリケーションデータストリームとＰＤＵセッションとの関連の更新操作及び／又はネットワークスライス情報の更新操作及び／又はＰＤＵセッションの更新操作を実行し、前記第１アプリケーションデータストリームの状態が非アクティブ状態であることは、前記第１アプリケーションデータストリームに現在又は所定の期間内で何らのデータパケットも存在しないか又はハートビートパケットのみが存在することであることを含む。
【０１３４】
更に、前記第１アプリケーションデータストリームの状態に基づいて、前記第１アプリケーションデータストリームとＰＤＵセッションとの関連の更新操作及び／又はネットワークスライス情報の更新操作及び／又はＰＤＵセッションの更新操作を実行することは、
前記第１アプリケーションデータストリームの状態が、前記第１アプリケーションデータストリームのレートが第１閾値以下であることを示す場合、前記第１アプリケーションデータストリームとＰＤＵセッションとの関連の更新操作及び／又はネットワークスライス情報の更新操作及び／又はＰＤＵセッションの更新操作を実行することを含む。
【０１３５】
本発明の実施例において、異なる指示パラメータが、異なる優先度情報に対応し、前記第１指示情報が少なくとも２つの指示パラメータを含む場合、優先度が高い指示パラメータに対応する実行条件を満たすか又は第２時間長内で満たすかを判定し、満たす場合、前記優先度の高い指示パラメータに基づいて、アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行し、満たさない場合、優先度が次に高い指示パラメータの実行条件を満たすか又は第２時間長内で満たすかを判定し、満たす場合、前記優先度が次に高い指示パラメータに基づいて、アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行する。
【０１３６】
本発明の実施例において、前記第１ＵＥポリシーに基づいて前記アプリケーションデータストリームとＰＤＵセッションとの関連の更新操作及び／又はＷＬＡＮアクセス選択の更新操作を実行することは、下記方式で実現することができる。
【０１３７】
方式１：前記第１ＵＥポリシーに基づいて、前記アプリケーションデータストリームの現在の第１ＰＤＵセッションを、ターゲット条件に合致する第２ＰＤＵセッションに変更し、前記アプリケーションデータストリームを前記第２ＰＤＵセッションで搬送する。及び／又は、前記第１ＵＥポリシーに基づいて、前記端末の現在の第１ＷＬＡＮ接続を、ターゲット条件に合致する第２ＷＬＡＮ接続に変更し、前記第１ＷＬＡＮ接続のデータストリームを前記第２ＷＬＡＮ接続で搬送する。
【０１３８】
方式２：前記第１ＵＥポリシーに基づいて、前記アプリケーションデータストリームのために、ターゲット条件に合致する第２ＰＤＵセッションを確立し、前記アプリケーションデータストリームを前記第２ＰＤＵで搬送する。及び／又は、前記第１ＵＥポリシーに基づいて、前記端末のために、ターゲット条件に合致する第２ＷＬＡＮ接続を確立し、第１ＷＬＡＮ接続のデータストリームを前記第２ＷＬＡＮ接続で搬送する。
【０１３９】
ここで、前記アプリケーションデータストリームを前記第２ＰＤＵで搬送してから、前記アプリケーションデータストリームの元の第１ＰＤＵセッションを削除する。及び／又は、前記第１ＷＬＡＮ接続のデータストリームを前記第２ＷＬＡＮ接続で搬送してから、前記第１ＷＬＡＮ接続を削除する。
【０１４０】
本発明の実施例において、第１指示情報は、上記指示パラメータのうちの１つ又は複数を含んでもよい。以下、表３に示すように、具体的な適用例を参照しながら、本発明の実施例の第１指示情報を説明する。
【表３】
2021528874.tif 000005
【０１４１】
2021528874.tif 000006
【０１４２】
指示パラメータの値が１０である場合、ＵＥは、Ｉｄｌｅ状態に入ってから、アプリケーションデータストリームの再バインディングを実行する必要がある。ＵＥは、ＩＤＬＥ状態に入ってから、新しいＵＲＳＰポリシーに基づいて、既存のＰＤＵセッションを変更するか又は新しいＰＤＵセッションを確立し、続いて、アプリケーションデータストリームを要件に合致するＰＤＵセッションにバインディングする。
【０１４３】
指示パラメータの値が２０である場合、直ちにアプリケーションデータストリームの再バインディングを実行する必要がある。如何なる方式を用いることができる。
【０１４４】
指示パラメータの値が２１である場合、直ちにアプリケーションデータストリームの再バインディングを実行する必要がある。ＵＥは、直ちに新しいＵＲＳＰポリシーに基づいて、既存のＰＤＵセッションを変更し、アプリケーションデータストリームを要件に合致するＰＤＵセッションにバインディングする。
【０１４５】
指示パラメータの値が２２である場合、直ちにアプリケーションデータストリームの再バインディングを実行する必要がある。ＵＥは新しいＵＲＳＰに基づいて、新しいＰＤＵ  Ｓｅｓｓｉｏｎの確立を開始し、確立を完了してから、元のＰＤＵ  Ｓｅｓｓｉｏｎにおけるデータを新しいＰＤＵ  Ｓｅｓｓｉｏｎにバインディングする。任意選択的に、バインディングを完了してから、元のＰＤＵ  Ｓｅｓｓｉｏｎを削除する。
【０１４６】
指示パラメータの値が３０である場合、ＵＥは所定の期間内で更新を行う。該期間内でＵＥがＩｄｌｅ状態に入ると、更新をトリガし、該期間を経過してから、ＵＥがＣｏｎｎｅｃｔｅｄ状態であっても、更新を依然として必要とする。
【０１４７】
指示パラメータの値が３１である場合、ＵＥは、所定の期間内で更新を行う。ＵＥは、データの送信を直接的に中止し、Ｉｄｌｅ状態に戻って更新をトリガする。
【０１４８】
指示パラメータの値が３２である場合、ＵＥは、所定の期間内で更新を行う。ネットワーク側は、ＲＲＣ接続を強制的にリリースし、ＵＥをＩｄｌｅ状態に戻らせて更新をトリガする。
【０１４９】
指示パラメータの値が３３である場合、ＵＥは、所定の期間内で、元のアプリケーションデータストリームを新しいルールに合致するＰＤＵセッションにバインディングする。
【０１５０】
指示パラメータの値が４０である場合、更新のＵＲＳＰ  ＲｕｌｅにおけるＴｒａｆｆｉｃ  Ｄｅｓｃｒｉｐｔｏｒに現在用いられているＰＤＵ  ＳｅｓｓｉｏｎがＩｎａｃｔｉｖｅ状態にある場合、ＵＥは、新しいＰＤＵ  Ｓｅｓｓｉｏｎを確立するか又は既存のＰＤＵ  Ｓｅｓｓｉｏｎに対して変更プロセスを開始し（更新のＵＲＳＰルールに基づいて前記ＰＤＵ  Ｓｅｓｓｉｏｎを変更する）、Ｔｒａｆｆｉｃ  Ｄｅｓｃｒｉｐｔｏｒのデータを新しいＰＤＵ  Ｓｅｓｓｉｏｎ又は変更されたＰＤＵ  Ｓｅｓｓｉｏｎにバインディングする。ここで、ＰＤＵ  ＳｅｓｓｉｏｎがＩｎａｃｔｉｖｅ状態にあることは、何らのデータも伝送していないこと及び／又はエアインタフェースリソースがリリースされていることを意味する。
【０１５１】
指示パラメータの値が５０である場合、ＵＲＳＰルールで記述されたアプリケーションデータストリームの状態に基づいて再バインディングを行うようＵＥに指示する。ここで、アプリケーションデータストリームの状態は、「非アクティブ」状態であってもよい。すなわち、前記第１アプリケーションデータストリームに現在又は所定の期間内で何らのデータパケットも存在しないか又はハートビートパケットのみが存在するため、それに対して再バインディングを行う。又は、アプリケーションデータストリームの状態が、現在のトラヒックレートが所定の閾値より低いことを表すため、それに対して再バインディングを行う。
【０１５２】
指示パラメータの値が５１である場合、指定したアプリケーションデータストリームの現在の状態は、「非アクティブ」状態である。すなわち、アプリケーションデータストリームには現在又は所定の期間内で何らのデータパケットも存在しないか又はハートビートパケットのみが存在するため、それに対して再バインディングを行う。
【０１５３】
指示パラメータの値が５２である場合、指定したアプリケーションデータストリームの現在の状態が、現在のトラヒックレートが所定の閾値よりも低いことを表すため、それに対して再バインディングを行う。
【０１５４】
一実施形態において、前記端末が前記第１指示情報を受信していない場合、前記端末が第１情報に基づいてターゲット指示パラメータを決定し、前記ターゲット指示パラメータに対応する更新操作を実行し、
ここで、前記ターゲット指示パラメータは、前記第１指示情報における第１指示パラメータ、前記第１指示情報における第２指示パラメータ、前記第１指示情報における第３指示パラメータ、前記第１指示情報における第４指示パラメータ、前記第１指示情報における第５指示パラメータのうちの１つである。
【０１５５】
例えば、前記端末が、デフォルト構成情報に基づいて、ターゲット指示パラメータが前記第１指示情報における第１指示パラメータであると判定した場合、前記端末が前記ターゲット指示パラメータに対応する更新操作を実行することは、前記端末がアイドル状態に入った後に、前記第１ＵＥポリシーに基づいて、前記アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行することを含む。
【０１５６】
また例えば、前記端末が、デフォルト構成情報に基づいて、ターゲット指示パラメータが前記第１指示情報における第２指示パラメータであると判定した場合、前記端末が前記ターゲット指示パラメータに対応する更新操作を実行することは、前記端末が前記第１指示情報を受信した後に、直ちに前記第１ＵＥポリシーに基づいて、前記アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行することを含む。
【０１５７】
また例えば、前記端末が、デフォルト構成情報に基づいて、ターゲット指示パラメータが前記第１指示情報における第３指示パラメータであると判定した場合、前記端末が前記ターゲット指示パラメータに対応する更新操作を実行することは、前記端末が前記第１指示情報を受信した後に、第１時間長内で、前記第１ＵＥポリシーに基づいて、前記アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行することを含む。
【０１５８】
デフォルト構成の場合について、ＵＥは、ＵＲＳＰ及び／又はＷＬＡＮＳＰルールに特定のパラメータ値が含まれる場合に、１つの指示パラメータに対応する挙動を実行し、他の場合に、デフォルト構成の指示パラメータに対応する挙動を実行することができる。
【０１５９】
例えば、ＵＲＳＰルールに「ＷＬＡＮアクセスを優先させる」というパラメータが含まれる場合、前記端末は、第２指示パラメータに対応する更新操作を実行し、「ＷＬＡＮアクセスを優先させる」というパラメータ値が含まれない場合、ＵＥは、デフォルト構成情報に基づいて、ターゲット指示パラメータが第１指示パラメータであると判定し、それに対応する更新操作を実行する。
【０１６０】
ここで、第１時間長内で、前記第１ＵＥポリシーに基づいて、前記アプリケーションデータストリームとＰＤＵセッションとの関連の更新操作及び／又はＷＬＡＮアクセス選択の更新操作を実行することは、
前記端末が第１時間長内でアイドル状態に入るとした場合、前記第１ＵＥポリシーに基づいて、前記アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行することと、
前記端末が前記第１時間長内で接続状態にある場合、前記第１ＵＥポリシーに基づいて、前記アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行することとを含む。
【０１６１】
また例えば、前記端末が、デフォルト構成情報に基づいて、ターゲット指示パラメータが前記第１指示情報における第４指示パラメータであると判定した場合、前記端末が前記ターゲット指示パラメータに対応する更新操作を実行することは、前記端末が、前記第１ＵＥポリシーに基づいて、ＵＲＳＰ  ＲｕｌｅにおけるＴｒａｆｆｉｃ  Ｄｅｓｃｒｉｐｔｏｒにより、現在用いられているＰＤＵセッションが非アクティブ状態にあると判定した場合、前記Ｔｒａｆｆｉｃ  Ｄｅｓｃｒｉｐｔｏｒに対応するアプリケーションデータストリームとＰＤＵセッションとの関連の更新操作を実行し、前記ＰＤＵセッションが非アクティブ状態にあることは、前記ＰＤＵセッションが何らのデータも伝送していないこと及び／又はエアインタフェースリソースがリリースされていることであることを含む。
【０１６２】
また例えば、前記端末が、デフォルト構成情報に基づいて、ターゲット指示パラメータが前記第１指示情報における第５指示パラメータであると判定した場合、前記端末が前記ターゲット指示パラメータに対応する更新操作を実行することは、前記第１ＵＥポリシーに基づいて、ＵＲＳＰ  Ｒｕｌｅにおける第１アプリケーションデータストリームの状態を判定し、前記第１アプリケーションデータストリームの状態に基づいて、前記第１アプリケーションデータストリームとＰＤＵセッションとの関連の更新操作及び／又はネットワークスライス情報の更新操作及び／又はＰＤＵセッションの更新操作を実行することを含む。
【０１６３】
本発明の実施例において、前記第１指示情報に含まれる指示パラメータは、異なるＰＳＩ識別子によって異なるか、又は、前記第１指示情報に含まれる指示パラメータは、異なるＵＲＳＰ  Ｒｕｌｅによって異なるか、又は、前記第１指示情報に含まれる指示パラメータは、異なるＡＮＤＳＰ  Ｒｕｌｅによって異なるか、又は、前記第１指示情報に含まれる指示パラメータは、異なるルートＲＳＤによって異なる。
【０１６４】
例えば、ＰＳＩ−１ポリシーは、更新を行ってから、ＵＥにおいて、データストリーム再バインディングの操作を直ちに行う必要がある。ＰＳＩ−２ポリシーは、更新を行ってから、ＵＥがＩＤＬＥ状態に入った後にデータストリーム再バインディングの操作を行う。
【０１６５】
本発明の実施例において、前記第１受信ユニットにより受信されたＰＳＩ、ＲＳＤ又はＵＲＳＰ又は前記第１ＵＥポリシーにターゲット指示パラメータが含まれる場合、前記ターゲット指示パラメータに対応する更新操作を実行する。前記第１受信ユニットにより受信されたＰＳＩ、ＲＳＤ又はＵＲＳＰ又は前記第１ＵＥポリシーにターゲット指示パラメータが含まれない場合、デフォルト指示パラメータに対応する更新操作を実行する。ここで、前記デフォルト指示パラメータは、第１指示パラメータ、第２指示パラメータ、第３指示パラメータ、第４指示パラメータ、第５指示パラメータのうちの１つである。換言すれば、第１指示情報に上記指示パラメータが含まれないと、ＵＥは、上記いずれか１つの指示パラメータに対応する挙動をデフォルトで実行することができる。例えば、幾つかのＰＳＩ又はＵＲＳＰに指示パラメータが含まれる場合、含まれる指示パラメータに対応する挙動に基づいて、再バインディングの操作を行い、それに対して指示パラメータが含まれないＰＳＩ又はＵＲＳＰは、デフォルト更新操作を実行する（例えば、アイドル状態に戻ってから、バインディングを行う）。
【０１６６】
例を挙げると、表４は、ＵＲＳＰ  Ｒｕｌｅ（ＵＥ  Ｒｏｕｔｅ  Ｓｅｌｅｃｔｉｏｎ  Ｐｏｌｉｃｙ  Ｒｕｌｅ）を示す。ＵＲＳＰ  Ｒｕｌｅに１つのパラメータ（上記指示パラメータを記述するためのもの）が追加された。ＵＲＳＰ  Ｒｕｌｅに該パラメータが含まれない場合、デフォルト指示パラメータを利用してデフォルト更新操作を実行する（例えば、アイドル状態に戻ってからバインディングを行う）。ＰＳＩ又はＲＳＤについて、ＵＲＳＰと同様に、更新操作を如何に行うかを示すための１つのパラメータを新規追加してもよく、ＵＥに送信されるＰｏｌｉｃｙ全体に、更新操作を如何に行うかを示すための１つのパラメータを追加してもよい。
【０１６７】
明示的な更新操作（上記新規追加された指示パラメータ）又はデフォルト更新操作（デフォルトに基づいた指示パラメータ）以外に、暗黙的な更新操作を実行してもよい。すなわち、ＵＥ  Ｐｏｌｉｃｙを番号が異なる複数の部分に分割する。異なる番号値の範囲は、異なる指示パラメータに対応する。異なる番号値の範囲に対応する更新操作は、ＵＥに予め設定された。
【０１６８】
具体的には、前記第１ＵＥポリシーは、複数の部分に分割され、異なる部分は、異なる番号値に対応し、異なる番号値の範囲は、異なる指示パラメータに対応し、前記端末に、番号値の範囲と指示パラメータとの対応関係が記憶されており、前記端末は、前記第１ＵＥポリシーにおける第１ルールを受信してから、前記第１ルールの番号値及び記憶している前記番号値の範囲と指示パラメータとの対応関係に基づいて、前記第１ルールに対応する指示パラメータを決定し、対応する更新操作を実行する。
【０１６９】
例えば、ＰＳＩを利用してＵＥ  Ｐｏｌｉｃｙを複数の部分に分割する。以下に示すように、異なる番号は、異なる操作に対応する。
【０１７０】
ＰＳＩ  １−５：第１指示パラメータの操作を実行する。
【０１７１】
ＰＳＩ  ６−１０：第２指示パラメータの操作を実行する。
【０１７２】
その他：第３指示パラメータの操作を実行する。
【０１７３】
本発明の実施例において、現在ＵＥに新しいルール識別子が存在しない場合、前記ルール識別子及び対応する内容を追加し、現在、ＵＥに記憶されているルール識別子が新しいルール識別子と重複し、且つ前記新しいルールに具体的な内容が含まれる場合、前記記憶されているルール識別子及び内容を置き換え、現在ＵＥに記憶されているルール識別子が新しいルール識別子と重複し、且つ前記新しいルールにルール識別子のみが含まれる場合、前記記憶されているルール識別子及び内容を削除する。
【０１７４】
本発明の実施例において、前記第１ＵＥポリシー更新過程において、置き換えられるＵＥポリシーについて、前記置き換えられるＵＥポリシーに対応する指示パラメータに基づいて更新操作を実行するか、又は新しく配信されたＵＥポリシーに対応する指示パラメータに基づいて更新操作を実行し、前記置き換えられるＵＥポリシーは、ローカルに記憶され、前記第１ＵＥポリシーの更新によって削除されるＵＥポリシーを指す。
【０１７５】
本発明の実施例において、前記第１ＵＥポリシー更新過程において、置き換えられるＵＥポリシーは、元のＵＥポリシーから新しいＵＥポリシーに変更され、元のＵＥポリシーのＴｒａｆｆｉｃ  Ｄｅｓｃｒｉｐｔｏｒが、第１範囲に対応し、新しいＵＥポリシーのＴｒａｆｆｉｃ  Ｄｅｓｃｒｉｐｔｏｒが、第２範囲に対応する場合、前記第１範囲と前記第２範囲との重複範囲に対応するアプリケーションデータストリームに対して、前記新しいＵＥポリシー又は元のＵＥポリシーに基づいて更新操作を実行する。
【０１７６】
本発明の実施例において、前記端末が前記第１ＵＥポリシーを記憶してから、前記端末は、第１ルールにおける第１ＲＳＤ及び／又は第１ＷＬＡＮＳＰルールを利用してアプリケーションデータストリームをバインディングする。前記端末がその後に、指定条件を満たす第２ＵＲＳＰルール及び／又は第１ＵＲＳＰルールにおける第２ＲＳＤ及び／又は第２ＷＬＡＮＳＰルールが利用可能であると判定した場合、前記端末は、前記第１指示情報における指示パラメータに基づいて、指定条件を満たす前記第２ＵＲＳＰルール及び／又は第１ＵＲＳＰルールにおける第２ＲＳＤ及び／又は第２ＷＬＡＮＳＰルールに対応するＴｒａｆｆｉｃ  Ｄｅｓｃｒｉｐｔｏｒで記述されたアプリケーションデータストリームを、指定条件を満たす前記第２ＵＲＳＰルール及び／又は第１ＵＲＳＰルールにおける第２ＲＳＤ及び／又は第２ＷＬＡＮＳＰにバインディングするという操作の実行タイミングを決定する。具体的には、端末が第１指示パラメータを受信してからポリシーを更新すると判定するという挙動以外、ＵＥ  Ｐｏｌｉｃｙが端末に設定されたから、端末は、その後に、利用可能であるより好適なＵＲＳＰ／ＷＬＡＮルールを発見すると、第１指示情報における指示パラメータに基づいて、より好適なルールに対応するＴｒａｆｆｉｃ  Ｄｅｓｃｒｉｐｔｏｒで記述されたアプリケーションデータストリームをより好適なＵＲＳＰ／ＷＬＡＮルールに如何にバインディングするかを判定することもできる。
【０１７７】
具体的に例を挙げると、１つのアプリケーションデータストリームの記述子は、ＵＲＳＰルール１に含まれ、且つルール１のＲＳＤ１の優先度は、ＲＳＤ２より高い。ＵＥが第１時点（又はロケーション）に位置する場合、ＵＲＳＰルール１のＲＳＤ１に基づいて生成されたＰＤＵセッション１の確立に失敗する。従って、ＵＥは、続いて該ルールのＲＳＤ２に基づいてＰＤＵセッション２の確立を実行して且つ成功する場合、前記アプリケーションデータストリームをＰＤＵセッション２にバインディングする。続いて、ＵＥが第２時点（又はロケーション）に位置する場合、ＵＥは、ルール１に基づいて生成されたＰＤＵセッション１の確立に成功する場合、前記アプリケーションデータストリームをＰＤＵセッション１にバインディングする必要がある。具体的なバインディング挙動は、ＵＲＳＰルール１に対応する指示パラメータに基づいて実行される。
【０１７８】
更新過程において置き換えられるＵＥポリシーについて、更新されたポリシーのセッションへのバインディング挙動は、新しく配信されるポリシーに対応する指示パラメータに基づいて実行することなく、元の更新されるポリシーに対応する指示パラメータに基づいて実行することもできる。
【表４】
2021528874.tif 000007
【０１７９】
一実施例において、ＰＣＦは、現在のＰＤＵ  Ｓｅｓｓｉｏｎに対応するＵＲＳＰ／ＷＬＡＮＳＰルールを記憶する。ルールを更新する必要がある場合、アクティブ状態であるＰＤＵ  Ｓｅｓｓｉｏｎに対応するＵＲＳＰ／ＷＬＡＮＳＰルールに対して、更新をトリガせず、他の更新を必要とするルールに対して、更新をトリガする。
【０１８０】
ここで、ＰＣＦがＰＤＵ  Ｓｅｓｓｉｏｎに対応するＵＲＳＰ／ＷＬＡＮＳＰルールを取得するための方法は、以下のとおりである。
【０１８１】
ＰＤＵ  Ｓｅｓｓｉｏｎを確立するたびに及び／又はアクティブ／非アクティブ状態にある場合、ＳＭＦは、ＰＤＵ  Ｓｅｓｓｉｏｎの現在の状態をＰＣＦに知らせる。
【０１８２】
ＰＣＦは、ＵＲＳＰルール又はＷＬＡＮＳＰルールに基づいて、アプリケーション検出イベントをＳＭＦ／ＵＰＦに配信して、前記ＳＭＦ／ＵＰＦに特定のアプリケーションに対する検出を行わせる。ＵＲＳＰ／ＷＬＡＮＳＰルールを更新する必要がある場合、ＰＣＦは、ＳＭＦ／ＵＰＦからの特定のアプリケーションの検出報告を受信したことを確認し、受信していない場合（即ち、現在のＰＤＵ  Ｓｅｓｓｉｏｎにおいて該特定のアプリケーションのデータストリームが存在せず、アプリケーションが非アクティブ状態にある）、ＰＣＦは、更新を配信し、受信した場合、配信を見合わせ、ＳＭＦ／ＵＰＦが該アプリケーションデータストリームの停止を報告してから、又は所定の期間を経過してから、ＰＣＦは対応するルールを配信する。
【０１８３】
ＰＣＦは、サードパーティＯＴＴンサーバの通知メッセージにより特定のアプリケーションの状態を取得することで、ＵＲＳＰルール及び／又はＷＬＡＮＳＰルールを更新するかを決定することもできる。
【０１８４】
本発明の実施例において、サブスクリプション情報又はポリシー情報に指示パラメータを追加し、前記指示パラメータは、前記端末が更新のＵＲＳＰルール及び／又はＷＬＡＮＳＰルールを受信した後の挙動を示すためのものであり、前記挙動は、関連更新を直ちに行うこと、ＰＤＵセッションがアクティブ状態でない時に、関連更新を行うこと、又は、所定の期間内で関連更新を行うことである。
【０１８５】
本発明の実施例において、前記端末が更新のＵＲＳＰルール及び／又はＷＬＡＮＳＰルールを受信した場合、影響されるトラヒックデータストリームが現在１つのＰＤＵセッションでデータ伝送を行っているかを判定する。そうであれば、前記ＰＤＵセッションに対応する指示パラメータを決定し、前記指示パラメータに基づいて、関連更新の実行タイミングを決定する。
【０１８６】
一実施形態において、サブスクリプション情報又はポリシー情報（即ち、ルール情報）に「バインディングポリシーパラメータ」（即ち、指示パラメータ）を導入する。該パラメータは、更新のＵＲＳＰルール及び／又はＷＬＡＮＳＰルールを受信した後の挙動をＵＥに指示する。該挙動は、
１）関連更新を直ちに行うこと、又は、
２）該ＰＤＵセッションがアクティブ状態でない（関連するエアインタフェース無線ベアラがいずれもリリースされた）場合に、関連更新を行うこと、又は、
３）所定の期間内で関連更新を行うことを含む。
【０１８７】
図１３に示すように、ＵＥがＰＤＵセッションの確立を開始する時、コアネットワークは、応答メッセージに「バインディングポリシーパラメータ」を追加する。該パラメータを、ＳＭＦとＵＤＭとでサブスクリプション情報を取得する時に得ることができるか、又は、ＳＭＦとＰＣＦとでポリシー情報を取得する時に得ることができる。
【０１８８】
新しいＵＲＳＰルール及び／又はＷＬＡＮＳＰルールがＵＥに送信された場合、ＵＥは、影響されるトラヒックデータストリームが現在１つのＰＤＵセッションでデータ伝送を行っているかを判定する。そうであれば、前記ＰＤＵセッションの「バインディングポリシーパラメータ」の値を判定し、その値に基づいて関連更新の実行タイミングを決定する。
【０１８９】
本発明の実施例において、前記アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行することは、
前記アプリケーションデータストリームが伝送している場合、前記アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行しないことと、
前記アプリケーションデータストリームの伝送が完了した後に、次回の伝送を始める時に、前記アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行することとを含む。
【０１９０】
ここの更新操作は、第１指示パラメータ及び第４指示パラメータに適用される。
【０１９１】
一実施形態において、前記方法は、
前記端末が前記ネットワーク装置からの第２指示情報を受信することと、
前記端末が前記第２指示情報に基づいて、前記第１ＵＥポリシーに対する応答メッセージを前記ネットワーク装置に送信するかを決定することとを更に含む。
【０１９２】
例えば、端末が第２指示信息に基づいて、前記第１ＵＥポリシーに対する応答メッセージを前記ネットワーク装置に送信する必要があると判定する場合、端末が第１ＵＥポリシー及び第１指示情報を正しく受信してから、ネットワーク装置に肯定応答（ＡＣＫ）メッセージをネットワーク装置に送信する。端末が第１ＵＥポリシー及び第１指示情報を正しく受信していなければ、否定応答（ＮＡＣＫ）メッセージをネットワーク装置に送信する。ネットワーク装置は、データを再送する。
【０１９３】
本発明の実施例において、ネットワークスライス情報は、ネットワークスライス選択補助情報（ＮＳＳＡＩ：Ｎｅｔｗｏｒｋ  Ｓｌｉｃｅ  Ｓｅｌｅｃｔｉｏｎ  Ａｓｓｉｓｔａｎｃｅ  Ｉｎｆｏｒｍａｔｉｏｎ）であってもよく、ＮＳＳＡＩは下記三種類に分けられる。
【０１９４】
１．   Ｒｅｑｕｅｓｔｅｄ  ＮＳＳＡＩ
ＵＥ登録要求メッセージで送信される。該情報は、ＵＥがどのようなＳ−ＮＳＳＡＩを申請するかを示すためのものである。また、ＲＡＮは、該情報に基づいて、ＵＥのＮＡＳメッセージを特定のＡＭＦ（Ｒｅｑｕｅｓｔｅｄ  ＮＳＳＡＩをサポートするＡＭＦ）に送信することもできる。
【０１９５】
２．   Ｓｕｂｓｃｒｉｂｅｄ  ＮＳＳＡＩ
ネットワーク側が該ユーザのために契約したＮＳＳＡＩ情報である。ユーザのＮＳＳＡＩサブスクリプション情報が変更された場合、ＵＤＭは、ＡＭＦが該ＵＥのためにＮＳＳＡＩの構成更新（下記図４で、構成更新プロセスＵＥ  Ｃｏｎｆｉｇｕｒａｔｉｏｎ  Ｕｐｄａｔｅ  （ＵＣＵ）を紹介する）を行うことをトリガするように、ＡＭＦに知らせす。
【０１９６】
３．   Ａｌｌｏｗｅｄ  ＮＳＳＡＩ
ＡＭＦは、ＵＥにより登録要求メッセージにおいて要求されたＮＳＳＡＩに基づいて、利用が許容されたものを判定する。Ａｌｌｏｗｅｄ  ＮＳＳＡＩを、Ｒｅｇｉｓｔｒａｔｉｏｎ  ａｃｃｅｐｔメッセージでＵＥに返送する。ＵＥは続いて、Ａｌｌｏｗｅｄ  ＮＳＳＡＩのうちの１つのＰＤＵセッション確立用Ｓ−ＮＳＳＡＩをＰＤＵセッション確立要求メッセージで搬送する。
【０１９７】
図９、図１０及び図１１を参照すると、図９は、本発明の実施例によるネットワークにおけるＮＳＳＡＩの伝達を示す概略図であり、図１０は、本発明の実施例による端末のネットワークへの登録を示すフローチャートであり、図１１は、本発明の実施例によるＰＤＵセッションの確立を示すフローチャートである。５Ｇネットワークにおいて、端末が５Ｇネットワークに登録しなければ、関連５Ｇトラヒックを実行することができない。ＵＥは、登録要求メッセージ（Ｒｅｇｉｓｔｒａｔｉｏｎ  Ｒｅｑｕｅｓｔ）で、Ｒｅｑｕｅｓｔｅｄ  ＮＳＳＡＩをＲＡＮ及びＡＭＦに送信する。ＡＭＦは、Ｒｅｑｕｅｓｔｅｄ  ＮＳＳＡＩをＮＳＳＦに送信することで、許容されたＮＳＳＡＩ（Ａｌｌｏｗｅｄ  ＮＳＳＡＩ）を取得する。ＡＭＦは、Ｒｅｇｉｓｔｒａｔｉｏｎ  Ａｃｃｅｐｔメッセージで、Ａｌｌｏｗｅｄ  ＮＳＳＡＩをＵＥに返送する。
【０１９８】
ＵＥは、続いて、ＰＤＵセッション要求メッセージにＳ−ＮＳＳＡＩ（Ａｌｌｏｗｅｄ  ＮＳＳＡＩのうちの１つ）を含め、ネットワーク側ＡＭＦは、ＵＥにより伝送されたＳ−ＮＳＳＡＩに基づいて、ＮＳＳＦから対応するＮＳＩ−ＩＤ（Ｎｅｔｗｏｒｋ  Ｓｌｉｃｅ  Ｉｎｓｔａｎｃｅ−ＩＤ）をクエリする。続いて、ＡＭＦは、返送されたＮＳＩ−ＩＤをＮＲＦに送信する。ＮＲＦは、ＮＳＩ−ＩＤに対応するＳＭＦネットワークエレメント情報をＡＭＦに返送する。ＡＭＦは、該ＳＭＦネットワークエレメント情報により、対応するＳＭＦネットワークエレメントを見つけ、対応するＰＤＵセッションを生成する。図１０に示すように、登録プロセスにおいて、登録要求（Ｒｅｇｉｓｔｒａｔｉｏｎ  ｒｅｑｕｅｓｔ）メッセージにＲｅｑｕｅｓｔｅｄ  ＮＳＳＡＩ及びＲｅｇｉｓｔｒａｔｉｏｎ  Ｔｙｐｅ  ＝  Ｉｎｉｔｉａｌ／Ｕｐｄａｔｅ／Ｅｍｅｒｇｅｎｃｙが含まれる。図１１に示すように、ステップ１において、ＵＥは、Ｓ−ＮＳＳＡＩ、ＤＮＮ、Ａｃｃｅｓｓ  Ｔｙｐｅ、ＰＤＵ  Ｓｅｓｓｉｏｎ  ＩＤ等の情報をネットワーク側に報告する。なお、ネットワークスライス情報の構成プロセスは、図１２に示すとおりである。ＡＭＦは、ＮＡＳメッセージにより、ＵＥにネットワークスライス更新要求メッセージを送信し、ＵＥは、ＡＭＦに更新応答メッセージを送信する。
【０１９９】
図５は、本発明の実施例によるＵＥポリシー更新方法を示す第２フローチャートである。図５に示すように、前記ＵＥポリシー更新方法は、下記ステップを含む。
【０２００】
ステップ５０１：ネットワーク装置が、端末に第１ＵＥポリシー及び／又は第１指示情報を送信し、それによって、前記端末に、前記第１ＵＥポリシー及び／又は前記第１指示情報に基づいて、アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行させる。
【０２０１】
本発明の実施例において、前記端末のＵＥポリシーの更新が発生した場合、前記ネットワーク装置は、前記端末に第１ＵＥポリシー及び／又は第１指示情報を送信し、ここで、前記第１ＵＥポリシーは、更新しようとするＵＥポリシーである。
【０２０２】
本発明の実施例において、前記端末にハンドオーバーが発生した場合、前記端末のＵＥポリシーの更新が発生したことである。
【０２０３】
本発明の実施例において、前記第１指示情報は、第１指示パラメータを含み、前記第１指示パラメータは、アイドル状態に入った後に、前記第１ＵＥポリシーに基づいて、前記アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行するように、前記端末に指示するためのものである。
【０２０４】
本発明の実施例において、前記第１指示情報は、第２指示パラメータを含み、前記第２指示パラメータは、前記第１指示情報を受信した後に、直ちに前記第１ＵＥポリシーに基づいて、前記アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行するように、前記端末に指示するためのものである。
【０２０５】
本発明の実施例において、前記第１指示情報は、第３指示パラメータを含み、前記第３指示パラメータは、前記第１指示情報を受信した後に、第１時間長内で前記第１ＵＥポリシーに基づいて、前記アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行するように、前記端末に指示するためのものである。
【０２０６】
本発明の実施例において、前記第１指示情報は、第４指示パラメータを含み、前記第４指示パラメータは、前記第１ＵＥポリシーに基づいて、ＵＲＳＰ  ＲｕｌｅにおけるＴｒａｆｆｉｃ  Ｄｅｓｃｒｉｐｔｏｒにより、現在用いられているＰＤＵセッションが非アクティブ状態にあると判定した場合、前記Ｔｒａｆｆｉｃ  Ｄｅｓｃｒｉｐｔｏｒに対応するアプリケーションデータストリームとＰＤＵセッションとの関連の更新操作を実行するように、前記端末に指示するためのものであり、前記ＰＤＵセッションが非アクティブ状態にあることは、前記ＰＤＵセッションが何らのデータも伝送していないこと及び／又はエアインタフェースリソースがリリースされていることである。
【０２０７】
本発明の実施例において、前記第１指示情報は、第５指示パラメータを含み、前記第５指示パラメータは、前記第１ＵＥポリシーに基づいて、ＵＲＳＰ  Ｒｕｌｅにおける第１アプリケーションデータストリームの状態を判定し、前記第１アプリケーションデータストリームの状態に基づいて、前記第１アプリケーションデータストリームとＰＤＵセッションとの関連の更新操作及び／又はネットワークスライス情報の更新操作及び／又はＰＤＵセッションの更新操作を実行するように、前記端末に指示するためのものである。
【０２０８】
更に、前記第１アプリケーションデータストリームの状態に基づいて、前記第１アプリケーションデータストリームとＰＤＵセッションとの関連の更新操作及び／又はネットワークスライス情報の更新操作及び／又はＰＤＵセッションの更新操作を実行することは、
前記第１アプリケーションデータストリームの状態が非アクティブ状態である場合、前記第１アプリケーションデータストリームとＰＤＵセッションとの関連の更新操作及び／又はネットワークスライス情報の更新操作及び／又はＰＤＵセッションの更新操作を実行し、前記第１アプリケーションデータストリームの状態が非アクティブ状態であることは、前記第１アプリケーションデータストリームに現在又は所定の期間内で何らのデータパケットも存在しないか又はハートビートパケットのみが存在することであることを含む。
【０２０９】
更に、前記第１アプリケーションデータストリームの状態に基づいて、前記第１アプリケーションデータストリームとＰＤＵセッションとの関連の更新操作及び／又はネットワークスライス情報の更新操作及び／又はＰＤＵセッションの更新操作を実行することは、
前記第１アプリケーションデータストリームの状態が、前記第１アプリケーションデータストリームのレートが第１閾値以下であることを示す場合、前記第１アプリケーションデータストリームとＰＤＵセッションとの関連の更新操作及び／又はネットワークスライス情報の更新操作及び／又はＰＤＵセッションの更新操作を実行することを含む。
【０２１０】
一実施形態において、前記方法は、
前記ネットワーク装置が現在ＰＤＵセッションに対応するＵＲＳＰルール及び／又はＷＬＡＮＳＰルールを記憶することと、
前記ＵＲＳＰルール及び／又はＷＬＡＮＳＰルールを更新する必要がある場合、更新しようとするＵＲＳＰルール及び／又はＷＬＡＮＳＰルールで記述されたデータストリームのデータがＰＤＵセッションで伝送を実行している場合、更新をトリガしないか又は更新のトリガを見合わせ、更新を必要とする他のＵＲＳＰルール又はＷＬＡＮＳＰルールに対して更新をトリガすることとを更に含む。
【０２１１】
更に、前記ＰＣＦは、ＵＲＳＰルール又はＷＬＡＮＳＰルールに基づいて、アプリケーション検出イベントをＳＭＦ／ＵＰＦに配信して、前記ＳＭＦ／ＵＰＦに特定のアプリケーションに対する検出を行わせる。ＵＲＳＰルール又はＷＬＡＮＳＰルールを更新する必要がある場合、ＰＣＦは、ＳＭＦ／ＵＰＦからの特定のアプリケーションの検出報告を受信したことを確認し、受信していない場合、ＰＣＦがＵＲＳＰルール又はＷＬＡＮＳＰルールの更新を配信し、受信した場合、ＵＲＳＰルール又はＷＬＡＮＳＰルールの更新の配信を見合わせ、ＳＭＦ／ＵＰＦが該アプリケーションデータストリームの停止を報告してから、又は所定の期間を経過してから、ＰＣＦはＵＲＳＰルール又はＷＬＡＮＳＰルールの更新を配信する。前記ＰＣＦは、サードパーティアプリケーションサーバの通知メッセージによって、特定のアプリケーションの状態を取得することで、ＵＲＳＰルール又はＷＬＡＮＳＰルールを更新するかを決定する。
【０２１２】
本発明の実施例において、異なる指示パラメータが、異なる優先度情報に対応し、前記第１指示情報が少なくとも２つの指示パラメータを含む場合、優先度が高い指示パラメータに対応する実行条件を満たすか又は第２時間長内で満たすかを判定し、満たす場合、前記優先度の高い指示パラメータに基づいて、アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行し、満たさない場合、優先度が次に高い指示パラメータの実行条件を満たすか又は第２時間長内で満たすかを判定し、満たす場合、前記優先度が次に高い指示パラメータに基づいて、アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行する。
【０２１３】
本発明の実施例において、前記第１指示情報に含まれる指示パラメータは、異なるＰＳＩによって異なるか、又は、前記第１指示情報に含まれる指示パラメータは、異なるＵＲＳＰ  Ｒｕｌｅによって異なるか、又は、前記第１指示情報に含まれる指示パラメータは、異なるＡＮＤＳＰ  Ｒｕｌｅによって異なるか、又は、前記第１指示情報に含まれる指示パラメータは、異なるＲＳＤによって異なる。
【０２１４】
一実施形態において、前記方法は、前記ネットワーク装置が前記端末に第２指示情報を送信し、それによって、前記端末に、前記第２指示情報に基づいて前記第１ＵＥポリシーに対する応答メッセージを前記ネットワーク装置に送信するかを決定させることを更に含む。
【０２１５】
図６は、本発明の実施例によるＵＥポリシー更新装置の構造を示す第１概略図である。図６に示すように、前記装置は、
ネットワーク装置からの第１ＵＥポリシー及び／又は第１指示情報を受信するように構成される第１受信ユニット６０１と、
前記第１ＵＥポリシー及び／又は前記第１指示情報に基づいて、アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行するように構成される更新ユニット６０２とを備える。
【０２１６】
一実施形態において、前記端末のＵＥポリシーの更新が発生した場合、前記第１受信ユニット６０１は、前記ネットワーク装置からの第１ＵＥポリシー及び／又は第１指示情報を受信し、ここで、前記第１ＵＥポリシーは、更新しようとするＵＥポリシーである。
【０２１７】
一実施形態において、前記端末にハンドオーバーが発生した場合、前記端末のＵＥポリシーの更新が発生したことである。
【０２１８】
一実施形態において、前記端末がデータトラヒックを実行している場合、前記更新ユニット６０２は、前記第１ＵＥポリシー及び／又は前記第１指示情報に基づいて、アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行する。
【０２１９】
一実施形態において、前記第１指示情報は、第１指示パラメータを含み、前記第１指示パラメータは、アイドル状態に入った後に、前記第１ＵＥポリシーに基づいて、前記アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行するように、前記端末に指示するためのものである。
【０２２０】
一実施形態において、前記第１指示情報は、第２指示パラメータを含み、前記第２指示パラメータは、前記第１指示情報を受信した後に、直ちに前記第１ＵＥポリシーに基づいて、前記アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行するように、前記端末に指示するためのものである。
【０２２１】
一実施形態において、前記第１指示情報は、第３指示パラメータを含み、前記第３指示パラメータは、前記第１指示情報を受信した後に、第１時間長内で前記第１ＵＥポリシーに基づいて、前記アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行するように、前記端末に指示するためのものである。
【０２２２】
一実施形態において、前記更新ユニット６０２は、
前記端末が前記第１時間長内でアイドル状態に入るとした場合、前記第１ＵＥポリシーに基づいて、前記アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行し、
前記端末が前記第１時間長内で接続状態にある場合、前記第１ＵＥポリシーに基づいて、前記アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行するように構成される。
【０２２３】
一実施形態において、前記装置は、
前記端末が前記第１時間長内で接続状態にあり、且つデータの伝送を実行している場合、前記データの伝送を中止し、前記接続状態から前記アイドル状態に戻るように構成される状態制御ユニット６０３を更に備える。
【０２２４】
一実施形態において、前記装置は、
前記端末が前記第１時間長内で接続状態にある場合、前記ネットワーク装置の制御で、ＲＲＣ接続又はＮＡＳ接続をリリースして前記接続状態から前記アイドル状態に戻るように構成される状態制御ユニット６０３を更に備える。
【０２２５】
一実施形態において、前記アプリケーションデータストリームとＰＤＵセッションとの関連の更新操作を実行することは、元のアプリケーションデータストリームを、更新ルールに合致するＰＤＵセッションにバインディングし、前記更新ルールが前記第１ＵＥポリシーにおけるルールであることを含む。
【０２２６】
一実施形態において、前記第１指示情報は、第４指示パラメータを含み、前記第４指示パラメータは、前記第１ＵＥポリシーに基づいて、ＵＲＳＰ  ＲｕｌｅにおけるＴｒａｆｆｉｃ  Ｄｅｓｃｒｉｐｔｏｒにより、現在用いられているＰＤＵセッションが非アクティブ状態にあると判定した場合、前記Ｔｒａｆｆｉｃ  Ｄｅｓｃｒｉｐｔｏｒに対応するアプリケーションデータストリームとＰＤＵセッションとの関連の更新操作を実行するように、前記端末に指示するためのものであり、前記ＰＤＵセッションが非アクティブ状態にあることは、前記ＰＤＵセッションが何らのデータも伝送していないこと及び／又はエアインタフェースリソースがリリースされていることである。
【０２２７】
更に、前記Ｔｒａｆｆｉｃ  Ｄｅｓｃｒｉｐｔｏｒに対応するアプリケーションデータストリームとＰＤＵセッションとの関連の更新操作を実行することは、新しいＰＤＵセッションを確立するか又は既存のＰＤＵセッションに対して変更を開始し、前記Ｔｒａｆｆｉｃ  Ｄｅｓｃｒｉｐｔｏｒに対応するアプリケーションデータストリームを新しいＰＤＵセッション又は変更後のＰＤＵセッションにバインディングすることを含む。
【０２２８】
一実施形態において、前記第１指示情報は、第５指示パラメータを含み、前記第５指示パラメータは、前記第１ＵＥポリシーに基づいて、ＵＲＳＰ  Ｒｕｌｅにおける第１アプリケーションデータストリームの状態を判定し、前記第１アプリケーションデータストリームの状態に基づいて、前記第１アプリケーションデータストリームとＰＤＵセッションとの関連の更新操作及び／又はネットワークスライス情報の更新操作及び／又はＰＤＵセッションの更新操作を実行するように、前記端末に指示するためのものである。
【０２２９】
更に、前記第１アプリケーションデータストリームの状態に基づいて、前記第１アプリケーションデータストリームとＰＤＵセッションとの関連の更新操作及び／又はネットワークスライス情報の更新操作及び／又はＰＤＵセッションの更新操作を実行することは、
前記第１アプリケーションデータストリームの状態が非アクティブ状態である場合、前記第１アプリケーションデータストリームとＰＤＵセッションとの関連の更新操作及び／又はネットワークスライス情報の更新操作及び／又はＰＤＵセッションの更新操作を実行し、前記第１アプリケーションデータストリームの状態が非アクティブ状態であることは、前記第１アプリケーションデータストリームに現在又は所定の期間内で何らのデータパケットも存在しないか又はハートビートパケットのみが存在することであることを含む。
【０２３０】
更に、前記第１アプリケーションデータストリームの状態に基づいて、前記第１アプリケーションデータストリームとＰＤＵセッションとの関連の更新操作及び／又はネットワークスライス情報の更新操作及び／又はＰＤＵセッションの更新操作を実行することは、
前記第１アプリケーションデータストリームの状態が、前記第１アプリケーションデータストリームのレートが第１閾値以下であることを示す場合、前記第１アプリケーションデータストリームとＰＤＵセッションとの関連の更新操作及び／又はネットワークスライス情報の更新操作及び／又はＰＤＵセッションの更新操作を実行することを含む。
【０２３１】
本発明の実施例において、異なる指示パラメータが、異なる優先度情報に対応し、前記第１指示情報が少なくとも２つの指示パラメータを含む場合、優先度が高い指示パラメータに対応する実行条件を満たすか又は第２時間長内で満たすかを判定し、満たす場合、前記優先度の高い指示パラメータに基づいて、アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行し、満たさない場合、優先度が次に高い指示パラメータの実行条件を満たすか又は第２時間長内で満たすかを判定し、満たす場合、前記優先度が次に高い指示パラメータに基づいて、アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行する。
【０２３２】
一実施形態において、前記更新ユニット６０２は、前記第１ＵＥポリシーに基づいて、前記アプリケーションデータストリームの現在の第１ＰＤＵセッションを、ターゲット条件に合致する第２ＰＤＵセッションに変更し、前記アプリケーションデータストリームを前記第２ＰＤＵセッションで搬送すること、及び／又は、前記第１ＵＥポリシーに基づいて、前記端末の現在の第１ＷＬＡＮ接続を、ターゲット条件に合致する第２ＷＬＡＮ接続に変更し、前記第１ＷＬＡＮ接続のデータストリームを前記第２ＷＬＡＮ接続で搬送することに用いられる。
【０２３３】
一実施形態において、前記更新ユニット６０２は、前記第１ＵＥポリシーに基づいて、前記アプリケーションデータストリームのために、ターゲット条件に合致する第２ＰＤＵセッションを確立し、前記アプリケーションデータストリームを前記第２ＰＤＵで搬送すること、及び／又は、前記第１ＵＥポリシーに基づいて、前記端末のために、ターゲット条件に合致する第２ＷＬＡＮ接続を確立し、第１ＷＬＡＮ接続のデータストリームを前記第２ＷＬＡＮ接続で搬送することに用いられる。
【０２３４】
一実施形態において、前記更新ユニット６０２は更に、前記アプリケーションデータストリームを前記第２ＰＤＵで搬送してから、前記アプリケーションデータストリームの元の第１ＰＤＵセッションを削除すること、及び／又は、前記第１ＷＬＡＮ接続のデータストリームを前記第２ＷＬＡＮ接続で搬送してから、前記第１ＷＬＡＮ接続を削除することに用いられる。
【０２３５】
一実施形態において、前記更新ユニット６０２は更に、前記第１受信ユニット６０１が前記第１指示情報を受信していない場合、前記端末が第１情報に基づいてターゲット指示パラメータを決定し、前記ターゲット指示パラメータに対応する更新操作を実行することに用いられ、ここで、前記ターゲット指示パラメータは、前記第１指示情報における第１指示パラメータ、前記第１指示情報における第２指示パラメータ、前記第１指示情報における第３指示パラメータ、前記第１指示情報における第４指示パラメータ、前記第１指示情報における第５指示パラメータのうちの１つである。
【０２３６】
一実施形態において、前記第１受信ユニット６０１が受信したＰＳＩ、ＲＳＤ又はＵＲＳＰ又は前記第１ＵＥポリシーにターゲット指示パラメータが含まれる場合、前記ターゲット指示パラメータに対応する更新操作を実行し、
前記第１受信ユニット６０１が受信したＰＳＩ、ＲＳＤ又はＵＲＳＰ又は前記第１ＵＥポリシーにターゲット指示パラメータが含まれない場合、デフォルト指示パラメータに対応する更新操作を実行し、
ここで、前記デフォルト指示パラメータは、第１指示パラメータ、第２指示パラメータ、第３指示パラメータ、第４指示パラメータ、第５指示パラメータのうちの１つである。
【０２３７】
一実施形態において、前記第１ＵＥポリシーは、複数の部分に分割され、異なる部分は、異なる番号値に対応し、異なる番号値の範囲は、異なる指示パラメータに対応し、前記端末に、番号値の範囲と指示パラメータとの対応関係が記憶されており、
前記第１受信ユニット６０１は、前記第１ＵＥポリシーにおける第１ルールを受信してから、前記第１ルールの番号値及び記憶している前記番号値の範囲と指示パラメータとの対応関係に基づいて、前記第１ルールに対応する指示パラメータを決定し、対応する更新操作を実行する。
【０２３８】
一実施形態において、前記第１受信ユニット６０１は、前記第１ＵＥポリシーを受信してから、前記第１ＵＥポリシーに基づいて、現在記憶されているＵＥポリシーを更新し、肯定応答メッセージを前記ネットワーク装置に送信する。
【０２３９】
一実施形態において、現在ＵＥに新しいルール識別子が存在しない場合、前記ルール識別子及び対応する内容を追加し、現在、ＵＥに記憶されているルール識別子が新しいルール識別子と重複し、且つ前記新しいルールに具体的な内容が含まれる場合、前記記憶されているルール識別子及び内容を置き換え、現在ＵＥに記憶されているルール識別子が新しいルール識別子と重複し、且つ前記新しいルールにルール識別子のみが含まれる場合、前記記憶されているルール識別子及び内容を削除する。
【０２４０】
一実施形態において、前記第１ＵＥポリシー更新過程において、置き換えられるＵＥポリシーについて、前記置き換えられるＵＥポリシーに対応する指示パラメータに基づいて更新操作を実行するか、又は新しく配信されたＵＥポリシーに対応する指示パラメータに基づいて更新操作を実行し、前記置き換えられるＵＥポリシーは、ローカルに記憶され、前記第１ＵＥポリシーの更新によって削除されるＵＥポリシーを指す。
【０２４１】
一実施形態において、前記第１ＵＥポリシー更新過程において、置き換えられるＵＥポリシーは、元のＵＥポリシーから新しいＵＥポリシーに変更され、元のＵＥポリシーのＴｒａｆｆｉｃ  Ｄｅｓｃｒｉｐｔｏｒが、第１範囲に対応し、新しいＵＥポリシーのＴｒａｆｆｉｃ  Ｄｅｓｃｒｉｐｔｏｒが、第２範囲に対応する場合、前記第１範囲と前記第２範囲との重複範囲に対応するアプリケーションデータストリームに対して、前記新しいＵＥポリシー又は元のＵＥポリシーに基づいて更新操作を実行する。
【０２４２】
一実施形態において、前記端末は、第１ルールにおける第１ＲＳＤ及び／又は第１ＷＬＡＮＳＰルールを利用してアプリケーションデータストリームをバインディングする。前記端末がその後に、指定条件を満たす第２ＵＲＳＰルール及び／又は第１ＵＲＳＰルールにおける第２ＲＳＤ及び／又は第２ＷＬＡＮＳＰルールが利用可能であると判定した場合、前記端末は、前記第１指示情報における指示パラメータに基づいて、指定条件を満たす前記第２ＵＲＳＰルール及び／又は第１ＵＲＳＰルールにおける第２ＲＳＤ及び／又は第２ＷＬＡＮＳＰルールに対応するＴｒａｆｆｉｃ  Ｄｅｓｃｒｉｐｔｏｒで記述されたアプリケーションデータストリームを、指定条件を満たす前記第２ＵＲＳＰルール及び／又は第１ＵＲＳＰルールにおける第２ＲＳＤ及び／又は第２ＷＬＡＮＳＰにバインディングするという操作の実行タイミングを決定する。
【０２４３】
一実施形態において、サブスクリプション情報又はポリシー情報に指示パラメータを追加し、前記指示パラメータは、前記端末が更新のＵＲＳＰルール及び／又はＷＬＡＮＳＰルールを受信した後の挙動を示すためのものであり、前記挙動は、関連更新を直ちに行うこと、ＰＤＵセッションがアクティブ状態でない時に、関連更新を行うこと、又は、所定の期間内で関連更新を行うことである。
【０２４４】
一実施形態において、更新のＵＲＳＰルール及び／又はＷＬＡＮＳＰルールを受信した場合、影響されるトラヒックデータストリームが現在１つのＰＤＵセッションでデータ伝送を行っているかを判定する。そうであれば、前記ＰＤＵセッションに対応する指示パラメータを決定し、前記指示パラメータに基づいて、関連更新の実行タイミングを決定する。
【０２４５】
一実施形態において、前記アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行することは、
前記アプリケーションデータストリームが伝送している場合、前記アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行しないことと、
前記アプリケーションデータストリームの伝送が完了した後に、次回の伝送を始める時に、前記アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行することとを含む。
【０２４６】
一実施形態において、前記第１指示情報に含まれる指示パラメータは、異なるＰＳＩ識別子によって異なるか、又は、
前記第１指示情報に含まれる指示パラメータは、異なるＵＲＳＰ  Ｒｕｌｅによって異なるか、又は
前記第１指示情報に含まれる指示パラメータは、異なるＡＮＤＳＰ  Ｒｕｌｅによって異なるか、又は
前記第１指示情報に含まれる指示パラメータは、異なるＲＳＤによって異なる。
【０２４７】
一実施形態において、前記装置は、
前記ネットワーク装置からの第２指示情報を受信するように構成される第２受信ユニット６０４と、
前記第２指示情報に基づいて、前記第１ＵＥポリシーに対する応答メッセージを前記ネットワーク装置に送信するかを決定するように構成される応答ユニット６０５とを更に備える。
【０２４８】
上述したＵＥポリシー更新方法に関連する説明を参照しながら図６に示したＵＥポリシー更新装置における各ユニットの機能を理解できることが当業者であれば理解すべきである。図９に示したＵＥポリシー更新装置における各ユニットの機能をプロセッサで実行されるプログラムにより実現させることができるし、具体的な論理回路を実現させることもできる。
【０２４９】
図７は、本発明の実施例によるＵＥポリシー更新装置の構造を示す第２概略図である。図７に示すように、前記装置は、
端末に第１ＵＥポリシー及び／又は第１指示情報を送信し、それによって、前記端末に、前記第１ＵＥポリシー及び／又は前記第１指示情報に基づいて、アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行させるように構成される第１送信ユニット７０１を備える。
【０２５０】
一実施形態において、前記端末のＵＥポリシーの更新が発生した場合、前記第１送信ユニット７０１は、前記端末に第１ＵＥポリシー及び／又は第１指示情報を送信し、ここで、前記第１ＵＥポリシーは、更新しようとするＵＥポリシーである。
【０２５１】
一実施形態において、前記端末にハンドオーバーが発生した場合、前記端末のＵＥポリシーの更新が発生したことである。
【０２５２】
一実施形態において、前記第１指示情報は、第１指示パラメータを含み、前記第１指示パラメータは、アイドル状態に入った後に、前記第１ＵＥポリシーに基づいて、前記アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行するように、前記端末に指示するためのものである。
【０２５３】
一実施形態において、前記第１指示情報は、第２指示パラメータを含み、前記第２指示パラメータは、前記第１指示情報を受信した後に、直ちに前記第１ＵＥポリシーに基づいて、前記アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行するように、前記端末に指示するためのものである。
【０２５４】
一実施形態において、前記第１指示情報は、第３指示パラメータを含み、前記第３指示パラメータは、前記第１指示情報を受信した後に、第１時間長内で前記第１ＵＥポリシーに基づいて、前記アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行するように、前記端末に指示するためのものである。
【０２５５】
一実施形態において、前記第１指示情報は、第４指示パラメータを含み、前記第４指示パラメータは、前記第１ＵＥポリシーに基づいて、ＵＲＳＰ  ＲｕｌｅにおけるＴｒａｆｆｉｃ  Ｄｅｓｃｒｉｐｔｏｒにより、現在用いられているＰＤＵセッションが非アクティブ状態にあると判定した場合、前記Ｔｒａｆｆｉｃ  Ｄｅｓｃｒｉｐｔｏｒに対応するアプリケーションデータストリームとＰＤＵセッションとの関連の更新操作を実行するように、前記端末に指示するためのものであり、前記ＰＤＵセッションが非アクティブ状態にあることは、前記ＰＤＵセッションが何らのデータも伝送していないこと及び／又はエアインタフェースリソースがリリースされていることである。
【０２５６】
一実施形態において、前記第１指示情報は、第５指示パラメータを含み、前記第５指示パラメータは、前記第１ＵＥポリシーに基づいて、ＵＲＳＰ  Ｒｕｌｅにおける第１アプリケーションデータストリームの状態を判定し、前記第１アプリケーションデータストリームの状態に基づいて、前記第１アプリケーションデータストリームとＰＤＵセッションとの関連の更新操作及び／又はネットワークスライス情報の更新操作及び／又はＰＤＵセッションの更新操作を実行するように、前記端末に指示するためのものである。
【０２５７】
更に、前記第１アプリケーションデータストリームの状態に基づいて、前記第１アプリケーションデータストリームとＰＤＵセッションとの関連の更新操作及び／又はネットワークスライス情報の更新操作及び／又はＰＤＵセッションの更新操作を実行することは、
前記第１アプリケーションデータストリームの状態が非アクティブ状態である場合、前記第１アプリケーションデータストリームとＰＤＵセッションとの関連の更新操作及び／又はネットワークスライス情報の更新操作及び／又はＰＤＵセッションの更新操作を実行し、前記第１アプリケーションデータストリームの状態が非アクティブ状態であることは、前記第１アプリケーションデータストリームに現在又は所定の期間内で何らのデータパケットも存在しないか又はハートビートパケットのみが存在することであることを含む。
【０２５８】
更に、前記第１アプリケーションデータストリームの状態に基づいて、前記第１アプリケーションデータストリームとＰＤＵセッションとの関連の更新操作及び／又はネットワークスライス情報の更新操作及び／又はＰＤＵセッションの更新操作を実行することは、
前記第１アプリケーションデータストリームの状態が、前記第１アプリケーションデータストリームのレートが第１閾値以下であることを示す場合、前記第１アプリケーションデータストリームとＰＤＵセッションとの関連の更新操作及び／又はネットワークスライス情報の更新操作及び／又はＰＤＵセッションの更新操作を実行することを含む。
【０２５９】
本発明の実施例において、異なる指示パラメータが、異なる優先度情報に対応し、前記第１指示情報が少なくとも２つの指示パラメータを含む場合、優先度が高い指示パラメータに対応する実行条件を満たすか又は第２時間長内で満たすかを判定し、満たす場合、前記優先度の高い指示パラメータに基づいて、アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行し、満たさない場合、優先度が次に高い指示パラメータの実行条件を満たすか又は第２時間長内で満たすかを判定し、満たす場合、前記優先度が次に高い指示パラメータに基づいて、アプリケーションデータストリームとＰＤＵセッションとの関連の更新操作及び／又はＷＬＡＮアクセス選択の更新操作及び／又はネットワークスライス情報の更新操作及び／又はＰＤＵセッションの更新操作を実行する。
【０２６０】
一実施形態において、前記ネットワーク装置は、現在ＰＤＵセッションに対応するＵＲＳＰルール及び／又はＷＬＡＮＳＰルールを記憶し、前記ＵＲＳＰルール及び／又はＷＬＡＮＳＰルールを更新する必要がある場合、更新しようとするＵＲＳＰルール及び／又はＷＬＡＮＳＰルールで記述されたデータストリームのデータがＰＤＵセッションで伝送を実行している場合、更新をトリガしないか又は更新のトリガを見合わせ、更新を必要とする他のＵＲＳＰルール又はＷＬＡＮＳＰルールに対して更新をトリガする。
【０２６１】
一実施形態において、前記ＰＣＦは、ＵＲＳＰルール又はＷＬＡＮＳＰルールに基づいて、アプリケーション検出イベントをＳＭＦ／ＵＰＦに配信して、前記ＳＭＦ／ＵＰＦに特定のアプリケーションに対する検出を行わせる。ＵＲＳＰルール又はＷＬＡＮＳＰルールを更新する必要がある場合、ＰＣＦは、ＳＭＦ／ＵＰＦからの特定のアプリケーションの検出報告を受信したかを確認し、受信していない場合、ＰＣＦは、ＵＲＳＰルール又はＷＬＡＮＳＰルールの更新を配信し、受信した場合、ＵＲＳＰルール又はＷＬＡＮＳＰルールの更新の配信を見合わせ、ＳＭＦ／ＵＰＦが該アプリケーションデータストリームの停止を報告してから、又は所定の期間を経過してから、ＰＣＦは、ＵＲＳＰルール又はＷＬＡＮＳＰルールの更新を配信する。前記ＰＣＦは、サードパーティアプリケーションサーバの通知メッセージによって、特定のアプリケーションの状態を取得することで、ＵＲＳＰルール又はＷＬＡＮＳＰルールを更新するかを決定することもできる。
【０２６２】
一実施形態において、前記第１指示情報に含まれる指示パラメータは、異なるＰＳＩによって異なるか、又は、
前記第１指示情報に含まれる指示パラメータは、異なるＵＲＳＰ  Ｒｕｌｅによって異なるか、又は
前記第１指示情報に含まれる指示パラメータは、異なるＡＮＤＳＰ  Ｒｕｌｅによって異なるか、又は
前記第１指示情報に含まれる指示パラメータは、異なるＲＳＤによって異なる。
【０２６３】
一実施形態において、前記装置は、
前記端末に第２指示情報を送信し、それによって、前記端末に、前記第２指示情報に基づいて前記第１ＵＥポリシーに対する応答メッセージを前記ネットワーク装置に送信するかを決定させるように構成される第２送信ユニット７０２を更に備える。
【０２６４】
上述したＵＥポリシー更新方法に関連する説明を参照しながら図７に示したＵＥポリシー更新装置における各ユニットの機能を理解できることが当業者であれば理解すべきである。図９に示したＵＥポリシー更新装置における各ユニットの機能をプロセッサで実行されるプログラムにより実現させることができるし、具体的な論理回路を実現させることもできる。
【０２６５】
本発明の実施例の上記ＵＥポリシー更新装置は、ソフトウェア機能ユニットの形で実現され、かつ独立した製品として販売または使用されるとき、コンピュータにより読み取り可能な記憶媒体内に記憶されてもよい。このような理解のもと、本発明の技術的解決手段は、本質的に、又は、従来技術に対して貢献をもたらした部分又は該技術的解決手段の一部は、ソフトウェア製品の形式で具現することができ、このようなコンピュータソフトウェア製品は、記憶媒体に記憶しても良く、また、コンピュータ設備（パソコン、サーバ、又はネットワーク装置など）に、本発明の各実施例に記載の方法の全部又は一部のステップを実行させるための若干の命令を含む。前記の記憶媒体は、Ｕディスク、リムーバブルハードディスク、読み出し専用メモリ（ＲＯＭ：Ｒｅａｄ−ｏｎｌｙ  Ｍｅｍｏｒｙ）、ディスク、又は光ディスクなど、プログラムコードを記憶可能な各種の媒体を含む。従って、本発明の実施例は、如何なる特定のハードウェアとソフトウェアの組み合わせにも限定されない。
【０２６６】
なお、本発明の実施例は、コンピュータによる実行可能な命令が記憶されているコンピュータ記憶媒体を更に提供し、該コンピュータによる実行可能な命令がプロセッサにより実行される時、本発明の実施例の上記ＵＥポリシー更新方法を実現させる。
【０２６７】
図８は、本発明の実施例によるコンピュータ装置の構成を示す概略図である。該コンピュータ装置は端末であってもよく、ネットワーク装置であってもよい。図８に示すように、コンピュータ装置１００は、１つ又は複数の（図面には１つのみが示される）プロセッサ１００２（プロセッサ６０２は、マイクロプロセッサ（ＭＣＵ：Ｍｉｃｒｏ  Ｃｏｎｔｒｏｌｌｅｒ  Ｕｎｉｔ）又はプログラマブルロジックデバイス（ＦＰＧＡ：Ｆｉｅｌｄ  Ｐｒｏｇｒａｍｍａｂｌｅ  Ｇａｔｅ  Ａｒｒａｙ）等の処理装置を含んでもよいが、これらに限定されない）、データを記憶するためのメモリ１００４、及び通信のための伝送装置１００６を備えてもよい。図８に示した構成は模式的なものに過ぎず、上記電子装置の構成を限定するものではないことは、当業者であれば、理解すべきである。例えば、コンピュータ装置１００は、図８に示したものより多くのユニット又は少ないユニットを備えてもよく、図８に示したものと異なる構成を備えてもよい。
【０２６８】
メモリ１００４は、本発明の実施例における方法に対応するプログラム命令／モジュールのようなアプリケーションのソフトウェアプログラム及びモジュールを記憶するためのものである。プロセッサ１００２は、メモリ１００４に記憶されているソフトウェアプログラム及びモジュールを実行することで、様々な機能の適用及びデータ処理を実行し、すなわち上記方法を実現させる。メモリ１００４は、高速ランダムメモリを含んでもよく、１つ又は複数の磁気記憶装置、フラッシュメモリ、その他の不揮発性固体記憶装置のような不揮発性メモリを含んでもよい。幾つかの実例において、メモリ１００４は、プロセッサ１００２に対して遠隔に設けられるメモリを更に含んでもよい。これらのリモートメモリは、ネットワークを介してコンピュータ装置１００に接続される。上記ネットワークの実例は、インターネット、イントラネット、ローカルエリアネットワーク、移動体通信ネットワーク及びこれらの組み合わせを含むが、これらに限定されない。
【０２６９】
伝送装置１００６は、ネットワークを介してデータを送受信するように構成される。上記ネットワークの具体的な実例は、コンピュータ装置１００の通信業者により提供される無線ネットワークを含んでもよい。一実例において、伝送装置１００６は、ネットワークアダプタデバイス（ＮＩＣ：Ｎｅｔｗｏｒｋ  Ｉｎｔｅｒｆａｃｅ  Ｃｏｎｔｒｏｌｌｅｒ）を含み、それは、基地局を介して他のネットワーク装置と接続することで、インターネットと通信することができる。一実例において、伝送装置１００６は、無線方式でインターネットと通信するための無線周波数（ＲＦ：Ｒａｄｉｏ  Ｆｒｅｑｕｅｎｃｙ）モジュールであってもよい。
【０２７０】
本発明の実施例に記載の技術的解決手段は、矛盾しない限り、任意に組み合わせすることができる。
【０２７１】
本発明で提供する幾つかの実施例で開示した方法及びインテリジェント装置は、他の方式によって実現できることを理解すべきである。以上に記載した装置の実施例は例示的なものに過ぎず、例えば、前記ユニットの分割はロジック機能の分割であり、実際に実現する時は他の分割方式によってもよい。例えば、複数のユニット又は組立体を組み合わせてもよく、別のシステムに組み込んでもよい。又は若干の特徴を無視してもよく、実行しなくてもよい。また、示したか或いは検討した相互間の結合又は直接的な結合又は通信接続は、幾つかのインターフェイス、装置又はユニットによる間接的な結合又は通信接続であってもよく、電気的、機械的または他の形態であってもよい。
【０２７２】
分離部材として説明した該ユニットは、物理的に別個のものであってもよく、そうでなくてもよい。ユニットとして示された部材は、物理的ユニットであってもよく、そうでなくてもよい。即ち、同一の位置に位置してもよく、複数のネットワークに分布してもよい。実際の需要に応じてそのうちの一部又は全てのユニットにより本実施例の方策の目的を実現することができる。
【０２７３】
また、本発明の各実施例における各機能ユニットは一つの第２処理ユニットに集積されてもよく、各ユニットが物理的に別個のものとして存在してもよく、２つ以上のユニットが一つのユニットに集積されてもよい。上記集積したユニット、ハードウェアの形で実現してもよく、ハードウェアとソフトウェアユニットの組み合わせという形で実現してもよい。
【０２７４】
以上は本発明の具体的な実施形態に過ぎず、本発明の保護の範囲はそれらに制限されるものではなく、当業者が本発明に開示された技術範囲内で容易に想到しうる変更や置換はいずれも、本発明の保護範囲内に含まれるべきである。
【図１】
2021528874.tif 000008
【図２】
2021528874.tif 000009
【図３】
2021528874.tif 000010
【図４】
2021528874.tif 000011
【図５】
2021528874.tif 000012
【図６】
2021528874.tif 000013
【図７】
2021528874.tif 000014
【図８】
2021528874.tif 000015
【図９】
2021528874.tif 000016
【図１０】
2021528874.tif 000017
【図１１】
2021528874.tif 000018
【図１２】
2021528874.tif 000019
【図１３】
2021528874.tif 000020
【手続補正書】
【提出日】令和3年4月9日(2021.4.9)
【手続補正１】
【補正対象書類名】特許請求の範囲
【補正対象項目名】全文
【補正方法】変更
【補正の内容】
【特許請求の範囲】
【請求項１】
端末（ＵＥ）により実行されるＵＥポリシー更新方法であって、
更新後のＵＥルート選択ポリシー（ＵＲＳＰ）ルールを受信することと、
前記更新後のＵＲＳＰルールと更新後のアプリケーションデータストリームとの関連を決定することと、
前記関連を直ちに更新すること、ＵＥがアイドル状態に入った後に、前記関連を更新すること、所定の期間内で前記関連を更新すること、ＰＤＵセッションがアクティブ状態であるかに基づいて、前記関連を更新すること、又は、前記更新後のＵＲＳＰルールにおけるアプリケーションデータストリームの状態に基づいて、前記関連を更新すること、のうちの一つによって、前記関連を更新することと、を含む、
ＵＥポリシー更新方法。
【請求項２】
前記方法は、
ネットワーク装置からＵＲＳＰと第１指示情報とを受信することと、
前記第１指示情報に基づいて、前記関連を更新することと、を含む、
請求項１に記載の方法。
【請求項３】
前記方法は、
ネットワーク装置からＵＲＳＰを受信することと、
デフォルト構成情報に基づいて、前記関連を更新することと、を含む、
請求項１に記載の方法。
【請求項４】
前記第１指示情報は、第１指示パラメータを含み、前記第１指示パラメータは、アイドル状態に入った後に、前記更新後のＵＲＳＰルールと更新後のアプリケーションデータストリームとの関連の更新操作を実行するように、前記端末に指示するためのものであることを特徴とする
請求項２に記載の方法。
【請求項５】
前記第１指示情報は、第２指示パラメータを含み、前記第２指示パラメータは、前記第１指示情報を受信した後に、前記更新後のＵＲＳＰルールと更新後のアプリケーションデータストリームとの関連の更新操作を直ちに実行するように、前記端末に指示するためのものであることを特徴とする
請求項２に記載の方法。
【請求項６】
前記方法は、
ネットワーク装置からの第２指示情報を受信することと、
前記第２指示情報に基づいて、前記ＵＥポリシーに対する応答メッセージを前記ネットワーク装置に送信するかを決定することとを更に含むことを特徴とする
請求項１に記載の方法。
【請求項７】
ネットワーク装置により実行されるＵＥポリシー更新方法であって、
端末（ＵＥ）に更新後のＵＥルート選択ポリシー（ＵＲＳＰ）ルールを送信し、それによって、ＵＥに、
前記更新後のＵＲＳＰルールと更新後のアプリケーションデータストリームとの関連を決定することと、
前記関連を直ちに更新すること、ＵＥがアイドル状態に入った後に、前記関連を更新すること、所定の期間内で前記関連を更新すること、ＰＤＵセッションがアクティブ状態であるかに基づいて、前記関連を更新すること、又は、前記更新後のＵＲＳＰルールにおけるアプリケーションデータストリームの状態に基づいて、前記関連を更新すること、のうちの一つによって、前記関連を更新することと、を実行させる、
ＵＥポリシー更新方法。
【請求項８】
前記ＵＥに、ＵＲＳＰと第１指示情報とを送信し、それによって、ＵＥに、前記第１指示情報に基づいて前記関連を更新させることを更に含む、
請求項７に記載の方法。
【請求項９】
前記ＵＥに、ＵＲＳＰを送信し、それによって、ＵＥに、デフォルト構成情報に基づいて前記関連を更新させることを更に含む、請求項７に記載の方法。
【請求項１０】
前記第１指示情報は、第１指示パラメータを含み、前記第１指示パラメータは、アイドル状態に入った後に、前記更新後のＵＲＳＰルールと更新後のアプリケーションデータストリームとの関連の更新操作を実行するように、前記端末に指示するためのものであり、又は、
前記第１指示情報は、第２指示パラメータを含み、前記第２指示パラメータは、前記第１指示情報を受信した後に、前記更新後のＵＲＳＰルールと更新後のアプリケーションデータストリームとの関連の更新操作を直ちに実行するように、前記端末に指示するためのものである
請求項８に記載の方法。
【請求項１１】
前記ＵＥに、第２指示情報を送信することと、
前記ＵＥから、前記ＵＥポリシーに対する応答メッセージを受信し、前記応答メッセージが、前記ＵＥが前記第２指示情報に基づいて送信されるものであることと、をさらに含む、
請求項７に記載の方法。
【請求項１２】
ＵＥポリシー更新装置であって、端末（ＵＥ）に適用され、第１受信ユニットと更新ユニットとを備え、
前記第１受信ユニットが、更新後のＵＥルート選択ポリシー（ＵＲＳＰ）ルールを受信するように構成され、
前記更新ユニットが、
前記更新後のＵＲＳＰルールと更新後のアプリケーションデータストリームとの関連を決定することと、
前記関連を直ちに更新すること、ＵＥがアイドル状態に入った後に、前記関連を更新すること、所定の期間内で前記関連を更新すること、ＰＤＵセッションがアクティブ状態であるかに基づいて、前記関連を更新すること、又は、前記更新後のＵＲＳＰルールにおけるアプリケーションデータストリームの状態に基づいて、前記関連を更新すること、のうちの一つによって、前記関連を更新することと、を実行するように構成される、
ＵＥポリシー更新装置。
【請求項１３】
前記第１受信ユニットが、ネットワーク装置からＵＲＳＰと第１指示情報とを受信するようにさらに構成され、前記更新ユニットが、前記第１指示情報に基づいて、前記関連を更新するようにさらに構成され、又は、
前記第１受信ユニットが、ネットワーク装置からＵＲＳＰを受信するように構成され、前記更新ユニットが、デフォルト構成情報に基づいて、前記関連を更新するようにさらに構成され、又は、
前記第１受信ユニットが、ネットワーク装置からの第２指示情報を受信するようにさらに構成され、前記更新ユニットが、前記第２指示情報に基づいて、前記ＵＥポリシーに対する応答メッセージを前記ネットワーク装置に送信するかを決定するようにさらに構成される、
請求項１２に記載の装置。
【請求項１４】
非一時的コンピュータ記憶媒体であって、コンピュータによる実行可能な命令が記憶されており、該コンピュータによる実行可能な命令がプロセッサにより実行される時に、請求項１から６のいずれか一項に記載の方法のステップを実現させる、コンピュータ記憶媒体。
【請求項１５】
非一時的コンピュータ記憶媒体であって、コンピュータによる実行可能な命令が記憶されており、該コンピュータによる実行可能な命令がプロセッサにより実行される時に、請求項７から１１のいずれか一項に記載の方法のステップを実現させる、コンピュータ記憶媒体。
【国際調査報告】
2021528874.tif 000021
2021528874.tif 000022
2021528874.tif 000023
2021528874.tif 000024
2021528874.tif 000025
2021528874.tif 000026